(57)【特許請求の範囲】
【請求項１】
所定エリアにて用いられる中継装置と、
端末装置と、
判断部とを備え、
前記中継装置は、前記判断部を含み、
前記端末装置は、前記中継装置の名前解決要求を送信し、前記名前解決要求に対する名前解決応答を受信し、受信した前記名前解決応答の示す前記中継装置のアドレスを宛先とする通知情報を前記中継装置へ送信し、
前記判断部は、前記中継装置における前記通知情報の受信結果に基づいて前記通知情報の伝送経路を判別し、判別結果に基づいて、前記端末装置が前記所定エリアに存在するか否かを判断する判断処理を行う、通信システム。
【請求項２】
前記中継装置は、前記所定エリアにおける内部ネットワーク、および前記所定エリア外の外部ネットワーク間の通信を中継し、
前記判断部は、前記通知情報の送信元のアドレスにさらに基づいて、前記通知情報の伝送経路を判別する、請求項１に記載の通信システム。
【請求項３】
前記中継装置は、前記判断処理の結果を前記端末装置に通知する、請求項１または請求項２に記載の通信システム。
【請求項４】
所定エリアにおける内部ネットワーク、および前記所定エリア外の外部ネットワーク間の通信を中継する中継装置と、
端末装置と、
判断部とを備え、
前記端末装置は、前記中継装置の名前解決要求を送信し、前記名前解決要求に対する名前解決応答を受信し、
前記判断部は、前記名前解決応答の示す前記中継装置のアドレスに基づいて、前記端末装置が前記所定エリアに存在するか否かを判断する判断処理を行い、
前記端末装置は、前記中継装置に通信接続する動作モードが選択されているか否かを示すモード情報を取得する取得部を含み、
前記判断部は、前記取得部によって取得された前記モード情報に基づいて、前記判断処理の結果の確度を判断する、通信システム。
【請求項５】
前記中継装置は、前記所定エリアにおける内部ネットワーク、および前記所定エリア外の外部ネットワーク間の通信を中継し、
前記中継装置は、前記名前解決要求を前記端末装置から受信した場合、前記内部ネットワークにおける自己のアドレスを示す前記名前解決応答を前記端末装置へ送信し、
前記端末装置は、前記名前解決要求を前記中継装置以外の装置へ送信した場合、前記外部ネットワークにおける前記中継装置のアドレスを示す前記名前解決応答を受信する、請求項１から請求項４のいずれか１項に記載の通信システム。
【請求項６】
前記端末装置は、前記判断部を含み、前記判断処理の結果を前記中継装置に通知する、請求項４に記載の通信システム。
【請求項７】
前記端末装置は、前記判断部によって自己が前記所定エリアに存在すると判断された場合、前記所定エリアにおいて行うべき所定の処理を開始する、請求項１から請求項６のいずれか１項に記載の通信システム。
【請求項８】
所定エリアにて用いられる中継装置であって、
端末装置から前記中継装置のアドレスを宛先とする通知情報を受信する受信部と、
前記受信部による前記通知情報の受信結果に基づいて前記通知情報の伝送経路を判別し、判別結果に基づいて、前記端末装置が前記所定エリアに存在するか否かを判断する判断処理を行う判断部とを備える、中継装置。
【請求項９】
所定エリアにて用いられる中継装置と、端末装置と、判断部とを備える通信システムにおける通信制御方法であって、
前記中継装置は、前記判断部を含み、
前記端末装置が、前記中継装置の名前解決要求を送信するステップと、
前記端末装置が、前記名前解決要求に対する名前解決応答を受信するステップと、
前記端末装置が、受信した前記名前解決応答の示す前記中継装置のアドレスを宛先とする通知情報を前記中継装置へ送信するステップと、
前記判断部が、前記中継装置における前記通知情報の受信結果に基づいて前記通知情報の伝送経路を判別し、判別結果に基づいて、前記端末装置が前記所定エリアに存在するか否かを判断する判断処理を行うステップとを含む、通信制御方法。
【請求項１０】
所定エリアにおける内部ネットワーク、および前記所定エリア外の外部ネットワーク間の通信を中継する中継装置と、端末装置と、判断部とを備える通信システムにおける通信制御方法であって、
前記端末装置が、前記中継装置の名前解決要求を送信するステップと、
前記端末装置が、前記名前解決要求に対する名前解決応答を受信するステップと、
前記判断部が、前記名前解決応答の示す前記中継装置のアドレスに基づいて、前記端末装置が前記所定エリアに存在するか否かを判断する判断処理を行うステップと、
前記端末装置が、前記中継装置に通信接続する動作モードが選択されているか否かを示すモード情報を取得するステップとを含み、
前記判断処理を行うステップにおいては、取得した前記モード情報に基づいて、前記判断処理の結果の確度を判断する、通信制御方法。
【請求項１１】
所定エリアにて用いられる中継装置において用いられる通信制御プログラムであって、
コンピュータに、
端末装置から前記中継装置のアドレスを宛先とする通知情報を受信するステップと、
前記通知情報の受信結果に基づいて前記通知情報の伝送経路を判別し、判別結果に基づいて、前記端末装置が前記所定エリアに存在するか否かを判断する判断処理を行うステップとを実行させるための、通信制御プログラム。
【発明の詳細な説明】
【技術分野】
【０００１】
本発明は、通信システム、中継装置、通信制御方法および通信制御プログラムに関し、特に、情報の中継が行われる通信システム、中継装置、通信制御方法および通信制御プログラムに関する。
【背景技術】
【０００２】
たとえば、特開平１１−２７７３４号公報（特許文献１）には、以下のようなマンロケーションシステムが開示されている。すなわち、対象者に携帯されて移動する移動側端末装置と、当該移動側端末装置との間でデータ通信を行い対象者の所在を管理する追跡側端末装置とを備えたマンロケーションシステムである。移動側端末装置は、屋内に設置された親機装置に接続する家庭モードと屋外の公衆エリアに設置された公衆用ＣＳに接続する公衆モードとを切替可能なＰＨＳ装置と、モードを切替えて家庭モードと公衆モードでの受信電界強度を比較して対象者の外出／在宅を判定し少なくとも外出判定の場合にＰＨＳ装置を使用して追跡側端末装置に判定結果を伝送するＰＨＳ制御装置とを備える。
【０００３】
また、たとえば、特許第３８４７７６０号公報（特許文献２）には、以下のような独居人安否確認システムが開示されている。すなわち、独居人安否確認システムは、独居人用住居に設置され当該独居人用住居内の生活行動を検出するセンサにより検出された生活行動情報を送信する住居内通信端末と、独居人に携帯され、上記独居人用住居内では通信モードを第１のモードとし上記独居人用住居外では通信モードを第２のモードとし、使用している通信モードを示す通信モード情報を送信する移動体通信端末と、上記住居内通信端末からの生活行動情報を受信し、上記移動体通信端末からの通信モード情報を受信し、受信した通信モード情報に基づき独居人が在宅であるか外出であるかを判定し、独居人が在宅であると判定した場合には、上記生活行動情報に基づき当該独居人の安否判定を行い、独居人が外出であると判定した場合には、上記生活行動情報に基づき侵入者の検出判定を行う情報処理装置とを備える。
【０００４】
また、たとえば、特開２００１−６７５０６号公報（特許文献３）には、以下のような在宅・外出判定システムが開示されている。すなわち、在宅・外出判定システムは、建物内に設けられた通信路と、前記通信路に接続され、出入り口付近で人体を検知する第１のセンサと、前記通信路に接続され、前記出入り口以外の建物内で人体を検知する第２のセンサと、前記通信路に接続され、前記第１と第２のセンサからの検知信号をもとに人の存在を監視するコントローラとを備える。前記コントローラは、前記第１のセンサからの検知信号を受け取った後、一定時間の間、前記第２のセンサからの検知信号を無視するように設定され、一定時間後の所定時間の間に前記第２のセンサからの検知信号を受け取った場合、人が前記建物内に存在すると判定する。
【先行技術文献】
【特許文献】
【０００５】
【特許文献１】特開平１１−２７７３４号公報
【特許文献２】特許第３８４７７６０号公報
【特許文献３】特開２００１−６７５０６号公報
【発明の概要】
【発明が解決しようとする課題】
【０００６】
このような特許文献１〜３に記載の技術を超えて、端末装置を使用するユーザのたとえば在宅または外出をより正しく判断するための技術が求められている。
【０００７】
この発明は、上述の課題を解決するためになされたもので、その目的は、端末装置が所定エリアに存在するか否かをより正しく判断することが可能な通信システム、中継装置、通信制御方法および通信制御プログラムを提供することである。
【課題を解決するための手段】
【０００８】
（１）上記課題を解決するために、この発明のある局面に係わる通信システムは、所定エリアにて用いられる中継装置と、端末装置と、判断部とを備え、前記端末装置は、前記中継装置の名前解決要求を送信し、前記名前解決要求に対する名前解決応答を受信し、受信した前記名前解決応答の示す前記中継装置のアドレスを宛先とする通知情報を送信し、前記判断部は、前記通知情報の受信結果に基づいて、前記端末装置が前記所定エリアに存在するか否かを判断する判断処理を行う。
【０００９】
（５）上記課題を解決するために、この発明の他の局面に係わる通信システムは、所定エリアにおける内部ネットワーク、および前記所定エリア外の外部ネットワーク間の通信を中継する中継装置と、端末装置と、判断部とを備え、前記端末装置は、前記中継装置の名前解決要求を送信し、前記名前解決要求に対する名前解決応答を受信し、前記判断部は、前記名前解決応答の示す前記中継装置のアドレスに基づいて、前記端末装置が前記所定エリアに存在するか否かを判断する判断処理を行う。
【００１０】
（１０）上記課題を解決するために、この発明のある局面に係わる中継装置は、所定エリアにて用いられる中継装置であって、端末装置から前記中継装置のアドレスを宛先とする通知情報を受信する受信部と、前記受信部による前記通知情報の受信結果に基づいて、前記端末装置が前記所定エリアに存在するか否かを判断する判断処理を行う判断部とを備える。
【００１１】
（１１）上記課題を解決するために、この発明のある局面に係わる通信制御方法は、所定エリアにて用いられる中継装置と、端末装置と、判断部とを備える通信システムにおける通信制御方法であって、前記端末装置が、前記中継装置の名前解決要求を送信するステップと、前記端末装置が、前記名前解決要求に対する名前解決応答を受信するステップと、前記端末装置が、受信した前記名前解決応答の示す前記中継装置のアドレスを宛先とする通知情報を送信するステップと、前記判断部が、前記通知情報の受信結果に基づいて、前記端末装置が前記所定エリアに存在するか否かを判断する判断処理を行うステップとを含む。
【００１２】
（１２）上記課題を解決するために、この発明の他の局面に係わる通信制御方法は、所定エリアにおける内部ネットワーク、および前記所定エリア外の外部ネットワーク間の通信を中継する中継装置と、端末装置と、判断部とを備える通信システムにおける通信制御方法であって、前記端末装置が、前記中継装置の名前解決要求を送信するステップと、前記端末装置が、前記名前解決要求に対する名前解決応答を受信するステップと、前記判断部が、前記名前解決応答の示す前記中継装置のアドレスに基づいて、前記端末装置が前記所定エリアに存在するか否かを判断する判断処理を行うステップとを含む。
【００１３】
（１３）上記課題を解決するために、この発明のある局面に係わる通信制御プログラムは、所定エリアにて用いられる中継装置において用いられる通信制御プログラムであって、コンピュータに、端末装置から前記中継装置のアドレスを宛先とする通知情報を受信するステップと、前記通知情報の受信結果に基づいて、前記端末装置が前記所定エリアに存在するか否かを判断する判断処理を行うステップとを実行させるためのプログラムである。
【００１４】
本発明は、このような特徴的な処理部を備える通信システムとして実現できるだけでなく、かかる特徴的な処理部を備える端末装置として実現したり、通信システムの一部または全部を実現する半導体集積回路として実現したりすることができる。
【発明の効果】
【００１５】
本発明によれば、端末装置が所定エリアに存在するか否かをより正しく判断することができる。
【図面の簡単な説明】
【００１６】
【図１】図１は、本発明の第１の実施の形態に係る通信システムの構成を示す図である。
【図２】図２は、本発明の第１の実施の形態に係る通信システムの住宅における配置例を示す図である。
【図３】図３は、本発明の第１の実施の形態に係る通信システムにおいて、無線端末装置が内部ネットワークを介して中継装置と情報の送受信を行う際の動作の一例を示すシーケンス図である。
【図４】図４は、本発明の第１の実施の形態に係る通信システムにおいて、無線端末装置が外部ネットワークを介して中継装置と情報の送受信を行う際の動作の一例を示すシーケンス図である。
【図５】図５は、本発明の第１の実施の形態に係る通信システムにおける無線端末装置の構成を示す図である。
【図６】図６は、本発明の第１の実施の形態に係る通信システムにおける中継装置の構成を示す図である。
【図７】図７は、本発明の第２の実施の形態に係る通信システムの構成を示す図である。
【図８】図８は、本発明の第２の実施の形態に係る通信システムにおいて、無線端末装置が内部ネットワークを介して中継装置と情報の送受信を行う際の動作の一例を示すシーケンス図である。
【図９】図９は、本発明の第２の実施の形態に係る通信システムにおいて、無線端末装置が外部ネットワークを介して中継装置と情報の送受信を行う際の動作の一例を示すシーケンス図である。
【図１０】図１０は、本発明の第２の実施の形態に係る通信システムにおける無線端末装置の構成を示す図である。
【図１１】図１１は、本発明の第２の実施の形態に係る通信システムにおける中継装置の構成を示す図である。
【発明を実施するための形態】
【００１７】
最初に、本発明の実施形態の内容を列記して説明する。
【００１８】
（１）本発明の実施の形態に係る通信システムは、所定エリアにて用いられる中継装置と、端末装置と、判断部とを備え、前記端末装置は、前記中継装置の名前解決要求を送信し、前記名前解決要求に対する名前解決応答を受信し、受信した前記名前解決応答の示す前記中継装置のアドレスを宛先とする通知情報を送信し、前記判断部は、前記通知情報の受信結果に基づいて、前記端末装置が前記所定エリアに存在するか否かを判断する判断処理を行う。
【００１９】
このような構成により、たとえば、端末装置が所定エリアに存在する場合における通知情報の受信結果と、端末装置が所定エリアに存在しない場合における通知情報の受信結果とが異なる場合に、通知情報の受信結果から、端末装置が所定エリアに存在するか否かをより正しく判断することができる。また、端末装置からの通知情報の受信結果を用いる構成により、たとえば住宅等の所定エリアにおいて位置の算出誤差が大きくなるＧＰＳ（Ｇｌｏｂａｌ  Ｐｏｓｉｔｉｏｎｉｎｇ  Ｓｙｓｔｅｍ）衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００２０】
（２）好ましくは、前記判断部は、前記通知情報の伝送経路を判別し、判別結果に基づいて前記判断処理を行う。
【００２１】
このような構成により、たとえば端末装置が所定エリアに存在する場合において通知情報が伝送される所定エリア内の伝送経路と、端末装置が所定エリアに存在しない場合において通知情報が伝送される所定エリア外の伝送経路とを判別することができるため、より正しい判断処理を行うことができる。
【００２２】
（３）好ましくは、前記中継装置は、前記所定エリアにおける内部ネットワーク、および前記所定エリア外の外部ネットワーク間の通信を中継し、前記判断部は、前記通知情報の送信元のアドレスに基づいて前記判断処理を行う。
【００２３】
このような構成により、たとえば所定エリアに存在する端末装置が用いる内部ネットワーク、および所定エリア外に存在する端末装置が用いる外部ネットワークのいずれのネットワークを通知情報が経由したかについて通知情報の送信元のアドレスから認識することができるので、通知情報の送信元のアドレスに基づいてより正しい判断処理を行うことができる。
【００２４】
（４）好ましくは、前記中継装置は、前記判断部を含み、前記判断処理の結果を前記端末装置に通知する。
【００２５】
このような構成により、端末装置において、たとえば判断処理の結果に応じた処理を行うことができる。
【００２６】
（５）本発明の実施の形態に係る通信システムは、所定エリアにおける内部ネットワーク、および前記所定エリア外の外部ネットワーク間の通信を中継する中継装置と、端末装置と、判断部とを備え、前記端末装置は、前記中継装置の名前解決要求を送信し、前記名前解決要求に対する名前解決応答を受信し、前記判断部は、前記名前解決応答の示す前記中継装置のアドレスに基づいて、前記端末装置が前記所定エリアに存在するか否かを判断する判断処理を行う。
【００２７】
このような構成により、たとえば、所定エリアに存在する端末装置が用いる内部ネットワーク、および所定エリア外に存在する端末装置が用いる外部ネットワークのいずれのネットワークを用いて端末装置および中継装置間の通信が行われるかを名前解決応答の示す中継装置のアドレスから認識することができるので、当該アドレスから、端末装置が所定エリアに存在するか否かをより正しく判断することができる。また、名前解決応答の示す中継装置のアドレスを用いる構成により、たとえば住宅等の所定エリアにおいて位置の算出誤差が大きくなるＧＰＳ衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００２８】
（６）好ましくは、前記端末装置は、前記中継装置に通信接続する動作モードが選択されているか否かを示すモード情報を取得する取得部を含み、前記判断部は、前記取得部によって取得された前記モード情報にさらに基づいて前記判断処理を行う。
【００２９】
このような構成により、端末装置が所定エリアに存在する場合において、当該端末装置が中継装置と通信接続を確立する動作モードであるか否かを認識することができるので、当該動作モードが選択されていない場合に、たとえば判断結果の確度が低いことを評価することができる。
【００３０】
（７）好ましくは、前記中継装置は、前記名前解決要求を前記端末装置から受信した場合、前記内部ネットワークにおける自己のアドレスを示す前記名前解決応答を前記端末装置へ送信し、前記端末装置は、前記名前解決要求を前記中継装置以外の装置へ送信した場合、前記外部ネットワークにおける前記中継装置のアドレスを示す前記名前解決応答を受信する。
【００３１】
このような構成により、端末装置は、内部ネットワークおよび外部ネットワークのいずれに接続している場合においても、自己が接続するネットワーク側の中継装置のアドレスを取得することができる。
【００３２】
（８）好ましくは、前記端末装置は、前記判断部を含み、前記判断処理の結果を前記中継装置に通知する。
【００３３】
このような構成により、中継装置において、たとえば判断処理の結果に応じた処理を行うことができる。
【００３４】
（９）好ましくは、前記端末装置は、前記判断部によって自己が前記所定エリアに存在すると判断された場合、前記所定エリアにおいて行うべき所定の処理を開始する。
【００３５】
このような構成により、端末装置において、所定エリアで実行すべき専用のアプリケーション等を自動で起動することができる。
【００３６】
（１０）本発明の実施の形態に係る中継装置は、所定エリアにて用いられる中継装置であって、端末装置から前記中継装置のアドレスを宛先とする通知情報を受信する受信部と、前記受信部による前記通知情報の受信結果に基づいて、前記端末装置が前記所定エリアに存在するか否かを判断する判断処理を行う判断部とを備える。
【００３７】
このような構成により、たとえば、端末装置が所定エリアに存在する場合における通知情報の受信結果と、端末装置が所定エリアに存在しない場合における通知情報の受信結果とが異なる場合に、通知情報の受信結果から、端末装置が所定エリアに存在するか否かをより正しく判断することができる。また、端末装置からの通知情報の受信結果を用いる構成により、たとえば住宅等の所定エリアにおいて位置の算出誤差が大きくなるＧＰＳ衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００３８】
（１１）本発明の実施の形態に係る通信制御方法は、所定エリアにて用いられる中継装置と、端末装置と、判断部とを備える通信システムにおける通信制御方法であって、前記端末装置が、前記中継装置の名前解決要求を送信するステップと、前記端末装置が、前記名前解決要求に対する名前解決応答を受信するステップと、前記端末装置が、受信した前記名前解決応答の示す前記中継装置のアドレスを宛先とする通知情報を送信するステップと、前記判断部が、前記通知情報の受信結果に基づいて、前記端末装置が前記所定エリアに存在するか否かを判断する判断処理を行うステップとを含む。
【００３９】
このような構成により、たとえば、端末装置が所定エリアに存在する場合における通知情報の受信結果と、端末装置が所定エリアに存在しない場合における通知情報の受信結果とが異なる場合に、通知情報の受信結果から、端末装置が所定エリアに存在するか否かをより正しく判断することができる。また、端末装置からの通知情報の受信結果を用いる構成により、たとえば住宅等の所定エリアにおいて位置の算出誤差が大きくなるＧＰＳ衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００４０】
（１２）本発明の実施の形態に係る通信制御方法は、所定エリアにおける内部ネットワーク、および前記所定エリア外の外部ネットワーク間の通信を中継する中継装置と、端末装置と、判断部とを備える通信システムにおける通信制御方法であって、前記端末装置が、前記中継装置の名前解決要求を送信するステップと、前記端末装置が、前記名前解決要求に対する名前解決応答を受信するステップと、前記判断部が、前記名前解決応答の示す前記中継装置のアドレスに基づいて、前記端末装置が前記所定エリアに存在するか否かを判断する判断処理を行うステップとを含む。
【００４１】
このような構成により、たとえば、所定エリアに存在する端末装置が用いる内部ネットワーク、および所定エリア外に存在する端末装置が用いる外部ネットワークのいずれのネットワークを用いて端末装置および中継装置間の通信が行われるかを名前解決応答の示す中継装置のアドレスから認識することができるので、当該アドレスから、端末装置が所定エリアに存在するか否かをより正しく判断することができる。また、名前解決応答の示す中継装置のアドレスを用いる構成により、たとえば住宅等の所定エリアにおいて位置の算出誤差が大きくなるＧＰＳ衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００４２】
（１３）本発明の実施の形態に係る通信制御プログラムは、所定エリアにて用いられる中継装置において用いられる通信制御プログラムであって、コンピュータに、端末装置から前記中継装置のアドレスを宛先とする通知情報を受信するステップと、前記通知情報の受信結果に基づいて、前記端末装置が前記所定エリアに存在するか否かを判断する判断処理を行うステップとを実行させるためのプログラムである。
【００４３】
このような構成により、たとえば、端末装置が所定エリアに存在する場合における通知情報の受信結果と、端末装置が所定エリアに存在しない場合における通知情報の受信結果とが異なる場合に、通知情報の受信結果から、端末装置が所定エリアに存在するか否かをより正しく判断することができる。また、端末装置からの通知情報の受信結果を用いる構成により、たとえば住宅等の所定エリアにおいて位置の算出誤差が大きくなるＧＰＳ衛星からの信号を用いる方法と比べて、より正しい判断処理を行うことができる。さらに、端末装置が有線通信を行う場合には、通信接続先をより確実に確定させることができるので、さらに正しい判断処理を行うことができる。
【００４４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４５】
＜第１の実施の形態＞
［構成および基本動作］
図１は、本発明の第１の実施の形態に係る通信システムの構成を示す図である。
【００４６】
図１を参照して、通信システム３０１は、中継装置１０１と、宅内装置１１１と、監視装置１１２と、見守り装置１１３と、アクセスポイント１５０，１５１と、ＤＮＳサーバ１６１と、基地局１７１と、無線端末装置２０２Ａ，２０２Ｂ，２０２Ｃとを備える。
【００４７】
以下、無線端末装置２０２Ａ，２０２Ｂ，２０２Ｃの各々を、無線端末装置２０２とも称する。図１では、１つのアクセスポイント１５０を代表的に示しているが、複数のアクセスポイント１５０が設けられてもよい。また、１つのアクセスポイント１５１を代表的に示しているが、複数のアクセスポイント１５１が設けられてもよい。また、１つのＤＮＳサーバ１６１を代表的に示しているが、複数のＤＮＳサーバ１６１が設けられてもよい。また、１つの基地局１７１を代表的に示しているが、複数の基地局１７１が設けられてもよい。また、３つの無線端末装置２０２を代表的に示しているが、さらに多数または少数の無線端末装置２０２が設けられてもよい。また、中継装置１０１は、通信システム３０１におけるアクセスポイント１５０および１５１の少なくともいずれか一方と一体化されてもよい。
【００４８】
アクセスポイント１５０は、たとえば、家庭内無線ＬＡＮサービスを提供するためのアクセスポイントである。アクセスポイント１５１は、たとえば、公衆無線ＬＡＮサービスを提供するためのアクセスポイントである。基地局１７１は、たとえば通信事業者が管理および運営を行う基地局である。
【００４９】
無線端末装置２０２は、たとえば携帯電話またはスマートホンであり、Ｗｉ−Ｆｉ（登録商標）およびＢｌｕｅｔｏｏｔｈ（登録商標）等の通信規格に従ってアクセスポイント１５０または１５１と無線通信を行うことにより、アクセスポイント１５０または１５１と情報の送受信を行う。また、無線端末装置２０２は、たとえば、３ＧおよびＬＴＥ（Ｌｏｎｇ  Ｔｅｒｍ  Ｅｖｏｌｕｔｉｏｎ）等の通信規格に従って基地局１７１と無線通信を行うことにより、基地局１７１と情報の送受信を行う。
【００５０】
また、無線端末装置２０２Ａ，２０２Ｂ，２０２Ｃは、それぞれ固有の端末ＩＤを有する。無線端末装置２０２Ａ，２０２Ｂ，２０２Ｃの端末ＩＤは、たとえば当該端末ＩＤを有する無線端末装置２０２のユーザ情報とともに中継装置１０１に登録されている。
【００５１】
ＤＮＳサーバ１６１は、たとえば、ＤＮＳ（Ｄｏｍａｉｎ  Ｎａｍｅ  Ｓｙｓｔｅｍ）サービス、およびＤＤＮＳ（Ｄｙｎａｍｉｃ  ＤＮＳ）サービスを提供することが可能なサーバである。
【００５２】
中継装置１０１、宅内装置１１１、監視装置１１２、見守り装置１１３およびアクセスポイント１５０は、たとえば、内部ネットワーク１０を介して他の装置と情報の送受信を行う。
【００５３】
中継装置１０１、アクセスポイント１５１、ＤＮＳサーバ１６１および基地局１７１は、たとえば、外部ネットワーク１１を介して他の装置と情報の送受信を行う。
【００５４】
図２は、本発明の第１の実施の形態に係る通信システムの住宅における配置例を示す図である。
【００５５】
図２を参照して、通信システム３０１におけるアクセスポイント１５０は、たとえば住宅Ｈ１に設けられ、通信エリアである所定エリアＡ１を形成する。所定エリアＡ１は、たとえば住宅Ｈ１の内部である。また、基地局１７１の通信エリアは、たとえば所定エリアＡ１を含む。
【００５６】
無線端末装置２０２Ａ，２０２Ｂ，２０２Ｃのユーザは、たとえば、対応の無線端末装置２０２を住宅Ｈ１内に置いて過ごしたり、対応の無線端末装置２０２を携帯して住宅Ｈ１から外出したりする。
【００５７】
中継装置１０１は、所定エリアＡ１に用いられる。たとえば、中継装置１０１は、所定エリアＡ１にて用いられる。より詳細には、中継装置１０１は、たとえば、所定エリアＡ１に設けられ、所定エリアＡ１における通信のために用いられる。なお、中継装置１０１は、所定エリアＡ１における通信のために使用可能であればよく、所定エリアＡ１の外部に設けられてもよい。
【００５８】
中継装置１０１は、たとえば、ブロードバンドルータであり、所定エリアＡ１における内部ネットワーク１０、および所定エリアＡ１外の外部ネットワーク１１間の通信を中継する。より詳細には、中継装置１０１は、たとえば、内部ネットワーク１０および外部ネットワーク１１間において情報を中継する、具体的には、情報を含むＩＰパケットを中継する。内部ネットワーク１０および外部ネットワーク１１は、それぞれたとえばＬＡＮ（Ｌｏｃａｌ  Ａｒｅａ  Ｎｅｔｗｏｒｋ）およびインターネットである。
【００５９】
また、中継装置１０１は、たとえば、ホスト名ＨＮとして「ｍｙｈｏｕｓｅ．ｂｂ．ｎｅｔ」を有している。また、中継装置１０１は、たとえば、内部ネットワーク１０側のＩＰアドレスＬＡ、および外部ネットワーク１１側のＩＰアドレスＷＡを有している。図１に示すように、ＩＰアドレスＬＡは、たとえば、ユーザにより設定されるプライベートＩＰアドレスであり、ここでは「１９２．１６８．１．１」である。ＩＰアドレスＷＡは、グローバルＩＰアドレスであり、たとえば「１３３．１５３．１０１．１０」である。
【００６０】
宅内装置１１１、監視装置１１２および見守り装置１１３は、たとえば所定エリアＡ１に設けられる。宅内装置１１１は、電灯およびエアコンディショナー等であり、中継装置１０１から受信する制御情報に従ってオンまたはオフする。
【００６１】
監視装置１１２は、たとえば、所定エリアＡ１に対する侵入者の検知を行うための装置であり、中継装置１０１から受信する制御情報に従ってオンまたはオフする。見守り装置１１３は、たとえば、所定エリアＡ１すなわち住宅Ｈ１に帰宅する子供等の対象者の見守りを行うための装置であり、中継装置１０１から受信する制御情報に従ってオンまたはオフする。
【００６２】
［動作（内部ネットワーク１０側における通信動作）］
通信システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００６３】
図３は、本発明の第１の実施の形態に係る通信システムにおいて、無線端末装置が内部ネットワークを介して中継装置と情報の送受信を行う際の動作の一例を示すシーケンス図である。
【００６４】
図３を参照して、たとえば、無線端末装置２０２が所定エリアＡ１に存在する場合において、無線端末装置２０２および中継装置１０１間では、通信接続の確立処理が行われる（ステップＳ１０２）。より詳細には、無線端末装置２０２および中継装置１０１間においてＤＨＣＰ（Ｄｙｎａｍｉｃ  Ｈｏｓｔ  Ｃｏｎｆｉｇｕｒａｔｉｏｎ  Ｐｒｏｔｏｃｏｌ）に従うＩＰアドレスの割り当て処理が行われることにより、無線端末装置２０２は、中継装置１０１の配下に属し、かつ中継装置１０１からローカルＩＰアドレスが割り当てられる。ここで、無線端末装置２０２が中継装置１０１から割り当てられるローカルＩＰアドレスの値は、たとえば「１９２．１６８．１．２」である。
【００６５】
通信システム３０１では、無線端末装置２０２が内部ネットワーク１０を介して中継装置１０１と通信接続を確立すると、中継装置１０１が無線端末装置２０２のＤＮＳプロキシサーバおよびデフォルトルータとなる。また、無線端末装置２０２では、たとえば中継装置１０１がデフォルトルータおよび優先ＤＮＳサーバとして設定される。
【００６６】
次に、無線端末装置２０２は、中継装置１０１の名前解決要求ＭＬ１を送信する（ステップＳ１０４）。より詳細には、たとえば、無線端末装置２０２は、任意のタイミングにおいて、ホスト名ＨＮに対応するＩＰアドレスを取得するためのメッセージである「ｍｙｈｏｕｓｅ．ｂｂ．ｎｅｔ」を含む名前解決要求ＭＬ１を優先ＤＮＳサーバである中継装置１０１へ送信する。
【００６７】
次に、中継装置１０１は、無線端末装置２０２から名前解決要求ＭＬ１を受信すると、受信した名前解決要求ＭＬ１の応答として、自己の内部ネットワーク１０側のＩＰアドレスＬＡを示すメッセージである「ｍｙｈｏｕｓｅ．ｂｂ．ｎｅｔ＝１９２．１６８．１．１」を含む名前解決応答ＭＬ２を作成し、作成した名前解決応答ＭＬ２を無線端末装置２０２へ送信する。無線端末装置２０２は、名前解決要求ＭＬ１に対する名前解決応答ＭＬ２を受信する（ステップＳ１０６）。
【００６８】
次に、無線端末装置２０２は、受信した名前解決応答ＭＬ２の示す中継装置１０１のＩＰアドレスを宛先とする通知情報ＭＬ３を送信する（ステップＳ１０８）。より詳細には、たとえば、無線端末装置２０２は、中継装置１０１から名前解決応答ＭＬ２を受信すると、モード情報、自己が住宅Ｈ１内および住宅Ｈ１外のいずれに存在するのかを問い合わせるためのメッセージである「ＨＴＴＰ  ＧＥＴ  ｗｈｅｒｅ  Ｉ  ａｍ？」、および自己の端末ＩＤたとえば「ＩＤ＝１２３４５」を含む通知情報ＭＬ３を作成する。
【００６９】
ここで、モード情報は、たとえば、端末装置２０２において、中継装置１０１に通信接続する動作モードが選択されているか否かを示す。そして、無線端末装置２０２は、たとえば、作成した通知情報ＭＬ３を、名前解決応答ＭＬ２に含まれるＩＰアドレスＬＡを宛先として中継装置１０１へ送信する。
【００７０】
次に、中継装置１０１は、無線端末装置２０２から通知情報ＭＬ３を受信すると、通知情報ＭＬ３の受信結果に基づいて、無線端末装置２０２が所定エリアＡ１に存在するか否かを判断する判断処理を行う（ステップＳ１１０）。
【００７１】
次に、中継装置１０１は、たとえば、判断処理の結果に基づいて、自己が行うべき所定処理Ｐ１を開始する（ステップＳ１１２）。
【００７２】
次に、中継装置１０１は、たとえば、通知情報ＭＬ３の応答として、判断処理の結果を示す通知応答ＭＬ４を送信する（ステップＳ１１４）。より詳細には、中継装置１０１は、たとえば無線端末装置２０２が住宅Ｈ１内に存在していると判断すると、無線端末装置２０２が住宅Ｈ１内に存在していることを示すメッセージである「ＨＴＴＰ  ２００  ＯＫ  ｙｏｕ  ａｒｅ  ｉｎ  ｈｏｕｓｅ」を含む通知応答ＭＬ４を作成し、作成した通知応答ＭＬ４を無線端末装置２０２へ送信する。
【００７３】
次に、無線端末装置２０２は、中継装置１０１から通知応答ＭＬ４を受信すると、受信した通知応答ＭＬ４の示す判断処理の結果に基づいて、自己が行うべき所定処理Ｐ２を開始する（ステップＳ１１６）。より詳細には、無線端末装置２０２は、たとえば、判断処理の結果が、自己が所定エリアＡ１に存在することを示す場合、所定エリアＡ１において行うべき所定処理Ｐ２を開始する。
【００７４】
なお、上記ステップＳ１１２およびＳ１１４の順番は、上記に限らず、順番を入れ替えてもよい。
【００７５】
［動作（外部ネットワーク１１側における通信動作）］
図４は、本発明の第１の実施の形態に係る通信システムにおいて、無線端末装置が外部ネットワークを介して中継装置と情報の送受信を行う際の動作の一例を示すシーケンス図である。
【００７６】
図４を参照して、たとえば、無線端末装置２０２が所定エリアＡ１の外部に存在する場合において、無線端末装置２０２とアクセスポイント１５１または基地局１７１との間では、通信接続の確立処理が行われる（ステップＳ２０２）。これにより、無線端末装置２０２は、中継装置１０１およびＤＮＳサーバ１６１との通信が可能となる。より詳細には、無線端末装置２０２とアクセスポイント１５１または基地局１７１との間において、無線通信方式および周波数の設定、ならびに暗号鍵の交換等が行われる。そして、無線端末装置２０２は、アクセスポイント１５１または基地局１７１を介して、ＤＨＣＰ等の手順に従って、自己が使用するＩＰアドレスの割り当て、およびＤＮＳプロキシサーバのＩＰアドレスの配布を受ける。このようにして、無線端末装置２０２は、中継装置１０１およびＤＮＳサーバ１６１との通信が可能となる。ここで、無線端末装置２０２が割り当てられるＩＰアドレスの値は、たとえば「１３３．１５３．１０１．１１」である。
【００７７】
通信システム３０１では、無線端末装置２０２がアクセスポイント１５１または基地局１７１と通信接続を確立すると、アクセスポイント１５１または基地局１７１が無線端末装置２０２のＤＮＳプロキシサーバおよびデフォルトルータとなる。無線端末装置２０２では、たとえばアクセスポイント１５１または基地局１７１がデフォルトルータおよび優先ＤＮＳサーバとして設定される。
【００７８】
次に、中継装置１０１は、たとえば、ＤＮＳサーバ１６１からＤＤＮＳサービスを受けるためのＤＮＳ登録手続きを行う（ステップＳ２０４）。より詳細には、中継装置１０１は、たとえば、自己のホスト名ＨＮおよび自己のグローバルＩＰアドレスすなわちＩＰアドレスＷＡを含み、かつＤＤＮＳサービスを要求するためのメッセージであるＤＮＳ登録要求を外部ネットワーク１１経由でＤＮＳサーバ１６１へ送信する。ＤＮＳサーバ１６１は、たとえば、中継装置１０１からＤＮＳ登録要求を受信すると、受信したＤＮＳ登録要求からホスト名ＨＮおよびＩＰアドレスＷＡを取得し、取得したホスト名ＨＮとＩＰアドレスＷＡとの対応関係を保持する。
【００７９】
次に、無線端末装置２０２は、中継装置１０１の名前解決要求ＭＷ１を送信する（ステップＳ２０６）。より詳細には、たとえば、無線端末装置２０２は、任意のタイミングにおいて、ホスト名ＨＮに対応するＩＰアドレスを取得するためのメッセージである「ｍｙｈｏｕｓｅ．ｂｂ．ｎｅｔ」を含む名前解決要求ＭＷ１を、アクセスポイント１５１または基地局１７１経由でＤＮＳサーバ１６１へ送信する。
【００８０】
次に、ＤＮＳサーバ１６１は、無線端末装置２０２から名前解決要求ＭＷ１を受信すると、自己が保持する対応関係に基づいて、受信した名前解決要求ＭＷ１の示すホスト名ＨＮに対応するＩＰアドレスＷＡを取得する。そして、ＤＮＳサーバ１６１は、たとえば、取得したＩＰアドレスＷＡを示すメッセージである「ｍｙｈｏｕｓｅ．ｂｂ．ｎｅｔ＝１３３．１５３．１０１．１０」を含む名前解決応答ＭＷ２を作成し、作成した名前解決応答ＭＷ２をアクセスポイント１５１または基地局１７１経由で無線端末装置２０２へ送信する。無線端末装置２０２は、名前解決要求ＭＷ１に対する名前解決応答ＭＷ２を受信する（ステップＳ２０８）。
【００８１】
次に、無線端末装置２０２は、受信した名前解決応答ＭＷ２の示す中継装置１０１のＩＰアドレスを宛先とする通知情報ＭＷ３を送信する（ステップＳ２１０）。より詳細には、たとえば、無線端末装置２０２は、ＤＮＳサーバ１６１から名前解決応答ＭＷ２を受信すると、モード情報、自己が住宅Ｈ１内および住宅Ｈ１外のいずれに存在するのかを問い合わせるためのメッセージである「ＨＴＴＰ  ＧＥＴ  ｗｈｅｒｅ  Ｉ  ａｍ？」、および自己の端末ＩＤを含む通知情報ＭＷ３を作成する。そして、無線端末装置２０２は、たとえば、作成した通知情報ＭＷ３を、名前解決応答ＭＷ２に含まれるＩＰアドレスＷＡを宛先としてアクセスポイント１５１または基地局１７１経由で中継装置１０１へ送信する。
【００８２】
次に、中継装置１０１は、無線端末装置２０２から通知情報ＭＷ３を受信すると、通知情報ＭＷ３の受信結果に基づいて、無線端末装置２０２が所定エリアＡ１に存在するか否かを判断する判断処理を行う（ステップＳ２１２）。
【００８３】
次に、中継装置１０１は、たとえば、判断処理の結果に基づいて、自己が行うべき所定処理Ｐ３を開始する（ステップＳ２１４）。
【００８４】
次に、中継装置１０１は、たとえば、通知情報ＭＷ３の応答として、判断処理の結果を示す通知応答ＭＷ４を送信する（ステップＳ２１６）。より詳細には、中継装置１０１は、たとえば無線端末装置２０２が住宅Ｈ１外に存在していると判断すると、無線端末装置２０２が住宅Ｈ１外に存在していることを示すメッセージである「ＨＴＴＰ  ２００  ＯＫ  ｙｏｕ  ａｒｅ  ｏｕｔ  ｏｆ  ｈｏｕｓｅ」を含む通知応答ＭＷ４を作成し、作成した通知応答ＭＷ４を無線端末装置２０２へ送信する。
【００８５】
次に、無線端末装置２０２は、中継装置１０１から通知応答ＭＷ４を受信すると、受信した通知応答ＭＷ４の示す判断処理の結果に基づいて、自己が行うべき所定処理Ｐ４を開始する（ステップＳ２１８）。より詳細には、無線端末装置２０２は、たとえば、判断処理の結果が、自己が所定エリアＡ１の外部に存在することを示す場合、所定エリアＡ１の外部において行うべき所定処理Ｐ４を開始する。
【００８６】
なお、上記ステップＳ２０２およびＳ２０４の順番は、上記に限らず、順番を入れ替えてもよい。また、上記ステップＳ２１４およびＳ２１６の順番は、上記に限らず、順番を入れ替えてもよい。
【００８７】
また、中継装置１０１は、上記ステップＳ２１６において、通知応答ＭＷ４の代わりに通知応答ＭＷ４Ｕを無線端末装置２０２に送信することがある。通知応答ＭＷ４Ｕの詳細については後述する。
【００８８】
［無線端末装置の構成］
図５は、本発明の第１の実施の形態に係る通信システムにおける無線端末装置の構成を示す図である。
【００８９】
図５を参照して、無線端末装置２０２は、取得部４１と、無線通信部４２と、処理部４３とを備える。
【００９０】
無線端末装置２０２における無線通信部４２は、たとえば、無線ＬＡＮモードおよび携帯電話網モードの少なくともいずれか一方の動作モードで動作する。無線ＬＡＮモードおよび携帯電話網モードは、たとえば、無線端末装置２０２のユーザにより少なくともいずれか一方が「有効」に設定される。
【００９１】
無線通信部４２は、たとえば、動作モードとして無線ＬＡＮモードが「有効」に設定されている場合、Ｗｉ−ＦｉおよびＢｌｕｅｔｏｏｔｈ等の通信規格に従ってアクセスポイント１５０またはアクセスポイント１５１と無線通信を行うことにより、アクセスポイント１５０またはアクセスポイント１５１とそれぞれＩＰパケットの送受信を行うことが可能である。
【００９２】
より詳細には、無線通信部４２は、たとえば、動作モードとして無線ＬＡＮモードが「有効」に設定されている場合において、アクセスポイント１５０またはアクセスポイント１５１が形成する通信エリア内に位置するとき、Ｗｉ−ＦｉおよびＢｌｕｅｔｏｏｔｈ等の通信規格に従ってアクセスポイント１５０またはアクセスポイント１５１とそれぞれＩＰパケットの送受信を行う。
【００９３】
また、無線通信部４２は、たとえば、動作モードとして携帯電話網モードが「有効」に設定されている場合、３ＧおよびＬＴＥ等の通信規格に従って基地局１７１と無線通信を行うことにより、基地局１７１とＩＰパケットの送受信を行うことが可能である。
【００９４】
より詳細には、無線通信部４２は、たとえば、動作モードとして携帯電話網モードが「有効」に設定されている場合において、基地局１７１が形成する通信エリア内に位置するとき、３ＧおよびＬＴＥ等の通信規格に従って基地局１７１とＩＰパケットの送受信を行う。
【００９５】
取得部４１は、たとえば、自己の無線端末装置２０２において、中継装置１０１に通信接続する動作モードが選択されているか否かを示すモード情報を取得する。
【００９６】
具体的には、取得部４１は、たとえば、無線通信部４２において無線ＬＡＮモードが「有効」に設定されている場合、自己の無線端末装置２０２が中継装置１０１と通信接続を確立することが可能であると判断する。そして、取得部４１は、たとえば、中継装置１０１に通信接続する動作モードが選択されている旨を示すモード情報を作成し、作成したモード情報を処理部４３へ出力する。
【００９７】
一方、取得部４１は、たとえば、無線通信部４２において無線ＬＡＮモードが「無効」に設定されている場合、自己の無線端末装置２０２が中継装置１０１と通信接続を確立することが不可能であると判断する。そして、取得部４１は、たとえば、中継装置１０１に通信接続する動作モードが選択されていない旨を示すモード情報を作成し、作成したモード情報を処理部４３へ出力する。
【００９８】
処理部４３は、名前解決要求ＭＬ１，ＭＷ１、名前解決応答ＭＬ２，ＭＷ２、通知情報ＭＬ３，ＭＷ３および通知応答ＭＬ４，ＭＷ４を処理する。
【００９９】
より詳細には、処理部４３は、たとえば、任意のタイミングにおいて名前解決要求ＭＬ１またはＭＷ１を作成し、作成した名前解決要求ＭＬ１またはＭＷ１を無線通信部４２経由で優先ＤＮＳサーバへ送信する、具体的には中継装置１０１またはＤＮＳサーバ１６１へ送信する。
【０１００】
ここで、名前解決要求ＭＬ１およびＭＷ１は、同じ内容を含む。一方、名前解決要求ＭＬ１およびＭＷ１の宛先は、デフォルトルータおよび優先ＤＮＳサーバとして中継装置１０１が設定されているか、またはアクセスポイント１５１もしくは基地局１７１が設定されているかに応じて異なる。したがって、処理部４３は、宛先を意識することなく名前解決要求を作成し、作成した名前解決要求を、デフォルトルータおよび優先ＤＮＳサーバとして設定された宛先へ無線通信部４２経由で送信する。
【０１０１】
処理部４３は、たとえば、名前解決要求を中継装置１０１以外の装置へ送信した場合、外部ネットワーク１１における中継装置１０１のＩＰアドレスを示す名前解決応答ＭＷ２を受信する。
【０１０２】
具体的には、処理部４３は、たとえば、名前解決要求ＭＷ１を無線通信部４２経由でＤＮＳサーバ１６１へ送信した場合、外部ネットワーク１１における中継装置１０１のＩＰアドレスすなわちＩＰアドレスＷＡを示すメッセージである「ｍｙｈｏｕｓｅ．ｂｂ．ｎｅｔ＝１３３．１５３．１０１．１０」を含む名前解決応答ＭＷ２を無線通信部４２経由で受信する。
【０１０３】
処理部４３は、たとえば、受信した名前解決応答ＭＷ２の応答として、モード情報、「ＨＴＴＰ  ＧＥＴ  ｗｈｅｒｅ  Ｉ  ａｍ？」を示すメッセージ、および端末ＩＤを含む通知情報ＭＷ３を作成し、作成した通知情報ＭＷ３を、ＩＰアドレスＷＡを宛先として無線通信部４２経由で中継装置１０１へ送信する。
【０１０４】
また、処理部４３は、たとえば、名前解決要求ＭＬ１を無線通信部４２経由で中継装置１０１へ送信した場合、内部ネットワーク１０における中継装置１０１のＩＰアドレスすなわちＩＰアドレスＬＡを示すメッセージである「ｍｙｈｏｕｓｅ．ｂｂ．ｎｅｔ＝１９２．１６８．１．１」を含む名前解決応答ＭＬ２を無線通信部４２経由で受信する。
【０１０５】
処理部４３は、たとえば、受信した名前解決応答ＭＬ２の応答として、モード情報、「ＨＴＴＰ  ＧＥＴ  ｗｈｅｒｅ  Ｉ  ａｍ？」を示すメッセージ、および端末ＩＤを含む通知情報ＭＬ３を作成し、作成した通知情報ＭＬ３を、ＩＰアドレスＬＡを宛先として無線通信部４２経由で中継装置１０１へ送信する。
【０１０６】
ここで、通知情報ＭＷ３およびＭＬ３は、同じ内容を含む。一方、通知情報ＭＷ３およびＭＬ３の宛先は、デフォルトルータおよび優先ＤＮＳサーバとして中継装置１０１が設定されているか、またはアクセスポイント１５１もしくは基地局１７１が設定されているかに応じて異なる。したがって、処理部４３は、宛先を意識することなく通知情報を作成し、作成した通知情報を、デフォルトルータおよび優先ＤＮＳサーバとして設定された宛先へ無線通信部４２経由で送信する。
【０１０７】
処理部４３は、たとえば、中継装置１０１によって自己の無線端末装置２０２が所定エリアＡ１に存在すると判断された場合、所定エリアＡ１において行うべき所定処理Ｐ２を開始する。
【０１０８】
具体的には、処理部４３は、たとえば、メッセージである「ＨＴＴＰ  ２００  ＯＫ  ｙｏｕ  ａｒｅ  ｉｎ  ｈｏｕｓｅ」を含む通知応答ＭＬ４を中継装置１０１から無線通信部４２経由で受信した場合、中継装置１０１によって自己の無線端末装置２０２が所定エリアＡ１に存在すると判断されたと認識する。そして、処理部４３は、所定処理Ｐ２として、たとえば宅内専用アプリケーションを起動する。ここで、宅内専用アプリケーションは、たとえば自己の無線端末装置２０２をテレビのリモコンとして動作させるためのアプリケーションである。
【０１０９】
また、処理部４３は、たとえば、中継装置１０１によって自己の無線端末装置２０２が所定エリアＡ１の外部に存在すると判断された場合、所定エリアＡ１の外部において行うべき所定処理Ｐ４を開始する。
【０１１０】
具体的には、処理部４３は、たとえば、メッセージである「ＨＴＴＰ  ２００  ＯＫ  ｙｏｕ  ａｒｅ  ｏｕｔ  ｏｆ  ｈｏｕｓｅ」を含む通知応答ＭＷ４を中継装置１０１から無線通信部４２経由で受信した場合、中継装置１０１によって自己の無線端末装置２０２が所定エリアＡ１の外部に存在すると判断されたと認識する。そして、処理部４３は、所定処理Ｐ４として、たとえば、起動した上記宅内専用アプリケーションを終了する。
【０１１１】
［中継装置の構成］
図６は、本発明の第１の実施の形態に係る通信システムにおける中継装置の構成を示す図である。
【０１１２】
図６を参照して、中継装置１０１は、ＬＡＮ側ポート２１と、ＬＡＮ側通信部（受信部）２２と、処理部２３と、ＷＡＮ側通信部（受信部）２４と、判断部２５と、ＷＡＮ側ポート２６とを備える。
【０１１３】
ＬＡＮ側ポート２１は、たとえば内部ネットワーク１０に接続されたイーサネット（登録商標）ケーブルを接続するためのポートである。また、ＷＡＮ側ポート２６は、たとえば外部ネットワーク１１に接続されたイーサネットケーブルを接続するためのポートである。
【０１１４】
ＬＡＮ側通信部２２は、たとえば、ＩＰアドレスＬＡを用いて、ＬＡＮ側ポート２１を介して内部ネットワーク１０に接続された装置と情報の送受信を行う。より詳細には、ＬＡＮ側通信部２２は、たとえば、宅内装置１１１、監視装置１１２、見守り装置１１３および無線端末装置２０２と情報の送受信を行う。
【０１１５】
ＬＡＮ側通信部２２は、無線端末装置２０２から自己の中継装置１０１のＩＰアドレスＬＡを宛先とする通知情報ＭＬ３を受信する。また、ＬＡＮ側通信部２２は、たとえば、無線端末装置２０２において、中継装置１０１に通信接続する動作モードが選択されているか否かを示すモード情報を取得する。
【０１１６】
詳細には、ＬＡＮ側通信部２２は、たとえば、ＬＡＮ側ポート２１を介して内部ネットワーク１０に接続された装置からＩＰパケットを受信すると、受信したＩＰパケットに含まれる情報（以下、パケット情報とも称する。）、当該ＩＰパケットの送信元のＩＰアドレス（以下、送信元ＩＰアドレスとも称する。）、および当該ＩＰパケットの宛先のＩＰアドレスであるＩＰアドレスＬＡを判断部２５へ出力するとともに、パケット情報を処理部２３へ出力する。
【０１１７】
より詳細には、ＬＡＮ側通信部２２は、たとえば、ＬＡＮ側ポート２１を介して無線端末装置２０２から名前解決要求ＭＬ１を含むＩＰパケットを受信すると、受信したＩＰパケットに含まれる名前解決要求ＭＬ１、送信元ＩＰアドレス、およびＩＰアドレスＬＡを判断部２５へ出力するとともに、名前解決要求ＭＬ１を処理部２３へ出力する。
【０１１８】
また、ＬＡＮ側通信部２２は、たとえば、ＬＡＮ側ポート２１を介して無線端末装置２０２から通知情報ＭＬ３を含むＩＰパケットを受信すると、受信したＩＰパケットに含まれる通知情報ＭＬ３、送信元ＩＰアドレス、およびＩＰアドレスＬＡを判断部２５へ出力するとともに、通知情報ＭＬ３を処理部２３へ出力する。
【０１１９】
ＷＡＮ側通信部２４は、たとえば、ＩＰアドレスＷＡを用いて、ＷＡＮ側ポート２６を介して外部ネットワーク１１に接続された装置と情報の送受信を行う。より詳細には、ＷＡＮ側通信部２４は、たとえば、ＤＮＳサーバ１６１および無線端末装置２０２と情報の送受信を行う。
【０１２０】
ＷＡＮ側通信部２４は、無線端末装置２０２から自己の中継装置１０１のＩＰアドレスＷＡを宛先とする通知情報ＭＷ３を受信する。また、ＷＡＮ側通信部２４は、たとえば、無線端末装置２０２において、中継装置１０１に通信接続する動作モードが選択されているか否かを示すモード情報を取得する。
【０１２１】
詳細には、ＷＡＮ側通信部２４は、たとえば、ＷＡＮ側ポート２６を介して外部ネットワーク１１に接続された装置からＩＰパケットを受信すると、パケット情報、送信元ＩＰアドレス、および当該ＩＰパケットの宛先のＩＰアドレスであるＩＰアドレスＷＡを判断部２５へ出力するとともに、パケット情報を処理部２３へ出力する。
【０１２２】
より詳細には、ＷＡＮ側通信部２４は、たとえば、ＷＡＮ側ポート２６を介して無線端末装置２０２から通知情報ＭＷ３を含むＩＰパケットを受信すると、受信したＩＰパケットに含まれる通知情報ＭＷ３、送信元ＩＰアドレス、およびＩＰアドレスＷＡを判断部２５へ出力するとともに、通知情報ＭＷ３を処理部２３へ出力する。
【０１２３】
判断部２５は、ＬＡＮ側通信部２２またはＷＡＮ側通信部２４による通知情報の受信結果に基づいて、無線端末装置２０２が所定エリアＡ１に存在するか否かを判断する判断処理を行う。
【０１２４】
より詳細には、判断部２５は、たとえば、ＬＡＮ側通信部２２またはＷＡＮ側通信部２４によって取得されたモード情報にさらに基づいて判断処理を行う。言い換えると、判断部２５は、たとえば、ＬＡＮ側通信部２２またはＷＡＮ側通信部２４によって取得されたモード情報、および上記受信結果に基づいて判断処理を行う。
【０１２５】
［伝送経路に基づく判断処理］
判断部２５は、たとえば、通知情報ＭＬ３またはＭＷ３の伝送経路を判別し、判別結果に基づいて判断処理を行う。
【０１２６】
具体的には、判断部２５は、たとえば、ＬＡＮ側通信部２２からパケット情報およびＩＰアドレスを受けると、受けたパケット情報の内容を確認する。
【０１２７】
判断部２５は、たとえば、受けたパケット情報において、「ＨＴＴＰ  ＧＥＴ  ｗｈｅｒｅ  Ｉ  ａｍ？」を示すメッセージが含まれる場合、当該パケット情報が内部ネットワーク１０経由で無線端末装置２０２から受信した通知情報ＭＬ３であると認識し、通知情報ＭＬ３の伝送経路が内部ネットワーク１０側に存在するため無線端末装置２０２が所定エリアＡ１に存在すると判断する。
【０１２８】
また、判断部２５は、たとえば、ＷＡＮ側通信部２４からパケット情報およびＩＰアドレスを受けると、受けたパケット情報の内容を確認する。
【０１２９】
判断部２５は、たとえば、受けたパケット情報において、「ＨＴＴＰ  ＧＥＴ  ｗｈｅｒｅ  Ｉ  ａｍ？」を示すメッセージが含まれる場合、当該パケット情報が外部ネットワーク１１経由で無線端末装置２０２から受信した通知情報ＭＷ３であると認識し、通知情報ＭＷ３の伝送経路が外部ネットワーク１１側に存在するため無線端末装置２０２が所定エリアＡ１の外部に存在すると判断する。
【０１３０】
［ＩＰアドレスに基づく判断処理］
判断部２５は、たとえば、通知情報ＭＬ３またはＭＷ３の送信元のアドレスすなわち送信元ＩＰアドレスに基づいて判断処理を行う。
【０１３１】
具体的には、判断部２５は、たとえば、ＬＡＮ側通信部２２またはＷＡＮ側通信部２４からパケット情報、送信元ＩＰアドレスおよびＩＰアドレスＬＡまたはＷＡを受けると、受けたパケット情報の内容を確認する。
【０１３２】
判断部２５は、たとえば、受けたパケット情報において、「ＨＴＴＰ  ＧＥＴ  ｗｈｅｒｅ  Ｉ  ａｍ？」を示すメッセージが含まれる場合、受けたパケット情報が通知情報であると認識し、以下の処理を行う。
【０１３３】
すなわち、判断部２５は、たとえば、ＬＡＮ側通信部２２またはＷＡＮ側通信部２４から受けた送信元ＩＰアドレスの値に基づいて、当該通知情報が通知情報ＭＬ３およびＭＷ３のいずれであるかを判別する。
【０１３４】
判断部２５は、たとえば、送信元ＩＰアドレスの値が「１９２．１６８．１．２」である場合、当該値がプライベートＩＰアドレスの範囲内であることを確認し、当該通知情報が内部ネットワーク１０側から受信した通知情報ＭＬ３であると判別する。そして、判断部２５は、たとえば、通知情報ＭＬ３を送信した無線端末装置２０２が所定エリアＡ１に存在すると判断する。
【０１３５】
また、判断部２５は、たとえば、送信元ＩＰアドレスの値が「１３３．１５３．１０１．１１」である場合、当該値がプライベートＩＰアドレスの範囲外であることを確認し、当該通知情報が外部ネットワーク１１側から受信した通知情報ＭＷ３であると判別する。そして、判断部２５は、たとえば、通知情報ＭＷ３を送信した無線端末装置２０２が所定エリアＡ１の外部に存在すると判断する。
【０１３６】
なお、判断部２５が、通知情報ＭＬ３またはＭＷ３の送信元のアドレスに基づいて判断処理を行う構成に限らず、判断部２５が、通知情報ＭＬ３またはＭＷ３の宛先に基づいて判断処理を行う構成であってもよい。
【０１３７】
また、本発明の第１の実施の形態に係る中継装置では、判断部２５は、伝送経路に基づく判断処理、およびＩＰアドレスに基づく判断処理の両方を行う構成であるとしたが、これに限定するものではない。判断部２５は、これらの判断処理のいずれか一方を行う構成であればよい。
【０１３８】
［判断結果の確度］
判断部２５は、たとえば、通知情報ＭＬ３またはＭＷ３に含まれるモード情報が、無線端末装置２０２において中継装置１０１に通信接続する動作モードが選択されていることを示す場合、判断結果の確度が高い旨、当該判断結果および端末ＩＤを判断処理の結果として処理部２３へ通知する。
【０１３９】
一方、判断部２５は、たとえば、通知情報ＭＬ３またはＭＷ３に含まれるモード情報が、無線端末装置２０２において中継装置１０１に通信接続する動作モードが選択されていないことを示す場合、判断結果の確度が低い旨、当該判断結果および端末ＩＤを判断処理の結果として処理部２３へ通知する。
【０１４０】
処理部２３は、たとえば、名前解決要求ＭＬ１、名前解決応答ＭＬ２、通知情報ＭＬ３，ＭＷ３、および通知応答ＭＬ４，ＭＷ４を処理する。
【０１４１】
より詳細には、処理部２３は、たとえば、名前解決要求ＭＬ１を無線端末装置２０２からＬＡＮ側通信部２２経由で受信した場合、受けた名前解決要求ＭＬ１の応答として、内部ネットワーク１０における自己のＩＰアドレスＬＡを示す名前解決応答ＭＬ２を作成し、作成した名前解決応答ＭＬ２をＬＡＮ側通信部２２経由で無線端末装置２０２へ送信する。
【０１４２】
［所定処理Ｐ１，Ｐ３］
処理部２３は、たとえば、判断処理の結果に基づいて、自己が行うべき所定処理Ｐ１またはＰ３を開始する。また、処理部２３は、たとえば判断処理の結果を無線端末装置２０２に通知する。
【０１４３】
具体的には、処理部２３は、たとえば、登録されている端末ＩＤごとに、対応の無線端末装置２０２が所定エリアＡ１に存在するか否かを示すフラグを保持する。ここでは、処理部２３は、たとえば、無線端末装置２０２Ａ〜２０２Ｃの端末ＩＤにそれぞれ対応するフラグＦＡ〜ＦＣを保持する。
【０１４４】
フラグＦＡ〜ＦＣは、たとえば、「対応の無線端末装置２０２が高い確度で所定エリアＡ１に存在する」、「対応の無線端末装置２０２が高い確度で所定エリアＡ１の外部に存在する」、および「対応の無線端末装置２０２が所定エリアＡ１に存在するか否か不明である」ことをそれぞれ示す「１」、「−１」または「０」の値に設定することが可能である。
【０１４５】
処理部２３は、たとえば、ＬＡＮ側通信部２２から通知情報ＭＬ３を受け、かつ判断部２５から判断結果の確度が高い旨、無線端末装置２０２が所定エリアＡ１に存在することを示す判断結果、および端末ＩＤの通知を受けると、以下の処理を行う。
【０１４６】
すなわち、処理部２３は、たとえば、当該端末ＩＤに対応するフラグを「１」に設定するとともに、通知応答ＭＬ４を作成し、作成した通知応答ＭＬ４を当該端末ＩＤの示す無線端末装置２０２へＬＡＮ側通信部２２および内部ネットワーク１０経由で送信する。
【０１４７】
具体的には、処理部２３は、たとえば、当該端末ＩＤが無線端末装置２０２Ａの端末ＩＤである場合、フラグＦＡを「１」に設定するとともに、通知応答ＭＬ４をＬＡＮ側通信部２２および内部ネットワーク１０経由で無線端末装置２０２Ａへ送信する。
【０１４８】
また、処理部２３は、たとえば、ＷＡＮ側通信部２４から通知情報ＭＷ３を受け、かつ判断部２５から判断結果の確度が高い旨、無線端末装置２０２が所定エリアＡ１の外部に存在することを示す判断結果、および端末ＩＤの通知を受けると、以下の処理を行う。
【０１４９】
すなわち、処理部２３は、たとえば、当該端末ＩＤに対応するフラグを「−１」に設定するとともに、通知応答ＭＷ４を作成し、作成した通知応答ＭＷ４を当該端末ＩＤの示す無線端末装置２０２へＷＡＮ側通信部２４および外部ネットワーク１１経由で送信する。
【０１５０】
具体的には、処理部２３は、たとえば、当該端末ＩＤが無線端末装置２０２Ｂの端末ＩＤである場合、フラグＦＢを「−１」に設定するとともに、通知応答ＭＷ４をＷＡＮ側通信部２４および外部ネットワーク１１経由で無線端末装置２０２Ｂへ送信する。
【０１５１】
また、処理部２３は、たとえば、ＷＡＮ側通信部２４から通知情報ＭＷ３を受け、かつ判断部２５から判断結果の確度が低い旨、無線端末装置２０２が所定エリアＡ１の外部に存在することを示す判断結果、および端末ＩＤの通知を受けると、以下の処理を行う。
【０１５２】
すなわち、処理部２３は、たとえば、当該端末ＩＤに対応するフラグを「０」に設定するとともに、対応の無線端末装置２０２が所定エリアＡ１に存在するか否か不明であることを示すメッセージを含む通知応答ＭＷ４Ｕを作成し、作成した通知応答ＭＷ４Ｕを当該端末ＩＤの示す無線端末装置２０２へＷＡＮ側通信部２４および外部ネットワーク１１経由で送信する。
【０１５３】
具体的には、処理部２３は、たとえば、当該端末ＩＤが無線端末装置２０２Ｃの端末ＩＤである場合、フラグＦＣを「０」に設定するとともに、通知応答ＭＷ４ＵをＷＡＮ側通信部２４および外部ネットワーク１１経由で無線端末装置２０２Ｃへ送信する。
【０１５４】
処理部２３は、たとえば、フラグＦＡ〜ＦＣの値を監視し、監視結果に基づいて所定処理Ｐ１またはＰ３を開始する。
【０１５５】
より詳細には、処理部２３は、たとえば、フラグＦＡ〜ＦＣのうちの少なくともいずれか１つの値が「１」である状態から、フラグＦＡ〜ＦＣの値がすべて「−１」である状態に遷移すると、無線端末装置２０２Ａ〜２０２Ｃのユーザが全員外出してしまって対象エリアＡ１が無人状態であると判断し、所定処理Ｐ３を開始する。
【０１５６】
具体的には、処理部２３は、所定処理Ｐ３として、たとえば、監視装置１１２をオンするための制御を行うとともに、見守り装置１１３および宅内装置１１１をオフするための制御を行う。
【０１５７】
より詳細には、処理部２３は、たとえば、監視装置１１２をオンするための制御情報、見守り装置１１３をオフするための制御情報、および宅内装置１１１をオフするための制御情報を作成し、作成した各制御情報をＬＡＮ側通信部２２，内部ネットワーク１０経由で監視装置１１２、見守り装置１１３、および宅内装置１１１へそれぞれ送信する。
【０１５８】
処理部２３は、たとえば、フラグＦＡ〜ＦＣの値がすべて「−１」である状態から、フラグＦＡ〜ＦＣのうちの少なくともいずれか１つの値が「１」である状態に遷移すると、無線端末装置２０２Ａ〜２０２Ｃのユーザのうちの少なくとも１人が帰宅し、対象エリアＡ１が有人状態であると判断し、所定処理Ｐ１を開始する。
【０１５９】
具体的には、処理部２３は、所定処理Ｐ１として、たとえば、監視装置１１２をオフするための制御を行うとともに、宅内装置１１１をオンするための制御を行う。より詳細には、処理部２３は、たとえば、監視装置１１２をオフするための制御情報、および宅内装置１１１をオンするための制御情報を作成し、作成した各制御情報をＬＡＮ側通信部２２，内部ネットワーク１０経由で監視装置１１２および宅内装置１１１へそれぞれ送信する。
【０１６０】
また、処理部２３は、たとえば、登録されているユーザ情報、および通知情報に含まれる端末ＩＤに基づいて、帰宅したユーザが子供または老人であるか否かを判断する。処理部２３は、たとえば、帰宅したユーザが子供または老人であると判断した場合、見守り装置１１３をオンするための制御を行う。より詳細には、処理部２３は、たとえば、見守り装置１１３をオンするための制御情報を作成し、作成した制御情報をＬＡＮ側通信部２２，内部ネットワーク１０経由で見守り装置１１３へ送信する。
【０１６１】
なお、処理部２３は、宅内装置１１１をオンまたはオフする制御において、無線端末装置２０２Ａ〜２０２Ｃのユーザのうち、いずれのユーザが外出または帰宅したかをフラグの値に基づいて特定し、住宅Ｈ１における、特定したユーザの部屋の電灯およびエアコンディショナー等を個別にオンまたはオフする制御を行う構成であってもよい。
【０１６２】
また、本発明の第１の実施の形態に係る通信システムは、無線通信を行う無線端末装置２０２を備える構成であるとしたが、これに限定するものではない。通信システム３０１は、無線端末装置２０２の代わりに、有線通信を行う端末装置を備える構成であってもよい。
【０１６３】
また、本発明の第１の実施の形態に係る通信システムでは、中継装置１０１が、判断部２５を備える構成であるとしたが、これに限定するものではない。通信システム３０１では、無線端末装置２０２以外の装置が判断部２５を備える構成であればよい。
【０１６４】
また、本発明の第１の実施の形態に係る中継装置では、判断部２５が、ＬＡＮ側通信部２２またはＷＡＮ側通信部２４によって取得されたモード情報、およびＬＡＮ側通信部２２またはＷＡＮ側通信部２４による通知情報の受信結果に基づいて判断処理を行う構成であるとしたが、これに限定するものではない。判断部２５は、上記受信結果に基づいて判断処理を行う構成であればよい。
【０１６５】
ところで、特許文献１〜３に記載の技術を超えて、端末装置を使用するユーザのたとえば在宅または外出をより正しく判断するための技術が求められている。
【０１６６】
これに対して、本発明の第１の実施の形態に係る通信システムでは、中継装置１０１は、所定エリアＡ１にて用いられる。無線端末装置２０２は、中継装置１０１の名前解決要求ＭＬ１またはＭＷ１を送信し、名前解決要求ＭＬ１またはＭＷ１に対する名前解決応答ＭＬ２またはＭＷ２をそれぞれ受信する。無線端末装置２０２は、受信した名前解決応答ＭＬ２またはＭＷ２の示す中継装置１０１のＩＰアドレスＬＡまたはＷＡを宛先とする通知情報ＭＬ３またはＭＷ３をそれぞれ送信する。そして、判断部２５は、通知情報ＭＬ３またはＭＷ３の受信結果に基づいて、無線端末装置２０２が所定エリアＡ１に存在するか否かを判断する判断処理を行う。
【０１６７】
このような構成により、たとえば、無線端末装置２０２が所定エリアＡ１に存在する場合における通知情報ＭＬ３の受信結果と、無線端末装置２０２が所定エリアＡ１に存在しない場合における通知情報ＭＷ３の受信結果とが異なる場合に、通知情報ＭＬ３またはＭＷ３の受信結果から、無線端末装置２０２が所定エリアＡ１に存在するか否かをより正しく判断することができる。また、無線端末装置２０２からの通知情報ＭＬ３またはＭＷ３の受信結果を用いる構成により、たとえば住宅等の所定エリアＡ１において位置の算出誤差が大きくなるＧＰＳ衛星からの信号を用いる方法と比べて、より正しい判断処理を行うことができる。さらに、無線端末装置２０２の代わりに、端末装置が有線通信を行う場合には、通信接続先をより確実に確定させることができるので、さらに正しい判断処理を行うことができる。
【０１６８】
また、本発明の第１の実施の形態に係る通信システムでは、判断部２５は、通知情報ＭＬ３またはＭＷ３の伝送経路を判別し、判別結果に基づいて判断処理を行う。
【０１６９】
このような構成により、たとえば無線端末装置２０２が所定エリアＡ１に存在する場合において通知情報ＭＬ３が伝送される所定エリアＡ１内の伝送経路と、無線端末装置２０２が所定エリアＡ１に存在しない場合において通知情報ＭＷ３が伝送される所定エリアＡ１外の伝送経路とを判別することができるため、より正しい判断処理を行うことができる。
【０１７０】
また、本発明の第１の実施の形態に係る通信システムでは、中継装置１０１は、所定エリアＡ１における内部ネットワーク１０、および所定エリアＡ１外の外部ネットワーク１１間の通信を中継する。そして、判断部２５は、通知情報ＭＬ３またはＭＷ３の送信元のアドレスに基づいて判断処理を行う。
【０１７１】
このような構成により、たとえば所定エリアＡ１に存在する無線端末装置２０２が用いる内部ネットワーク１０、および所定エリアＡ１外に存在する無線端末装置２０２が用いる外部ネットワーク１１のいずれのネットワークを通知情報ＭＬ３またはＭＷ３が経由したかについて通知情報ＭＬ３またはＭＷ３の送信元のアドレスから認識することができるので、通知情報ＭＬ３またはＭＷ３の送信元のアドレスに基づいてより正しい判断処理を行うことができる。
【０１７２】
また、本発明の第１の実施の形態に係る通信システムでは、中継装置１０１は、判断部２５を含み、判断処理の結果を示す通知応答ＭＬ４、ＭＷ４またはＭＷ４Ｕを無線端末装置２０２に通知する。
【０１７３】
このような構成により、無線端末装置２０２において、たとえば判断処理の結果に応じた処理を行うことができる。
【０１７４】
また、本発明の第１の実施の形態に係る通信システムでは、無線端末装置２０２において、取得部４１は、中継装置１０１に通信接続する動作モードが選択されているか否かを示すモード情報を取得する。そして、判断部２５は、取得部４１によって取得されたモード情報、および上記受信結果に基づいて判断処理を行う。
【０１７５】
このような構成により、無線端末装置２０２が所定エリアＡ１に存在する場合において、無線端末装置２０２が中継装置１０１と通信接続を確立する動作モードであるか否かを認識することができるので、当該動作モードが選択されていない場合に、たとえば判断結果の確度が低いことを評価することができる。
【０１７６】
また、本発明の第１の実施の形態に係る通信システムでは、中継装置１０１は、名前解決要求ＭＬ１を無線端末装置２０２から受信した場合、内部ネットワーク１０における自己のＩＰアドレスＬＡを示す名前解決応答ＭＬ２を無線端末装置２０２へ送信する。そして、無線端末装置２０２は、名前解決要求ＭＷ１を中継装置１０１以外の装置、具体的にはＤＮＳサーバ１６１へ送信した場合、外部ネットワーク１１における中継装置１０１のＩＰアドレスＷＡを示す名前解決応答ＭＷ２を受信する。
【０１７７】
このような構成により、無線端末装置２０２は、内部ネットワーク１０および外部ネットワーク１１のいずれに接続している場合においても、自己が接続するネットワーク側の中継装置１０１のＩＰアドレスＬＡまたはＷＡを取得することができる。
【０１７８】
また、本発明の第１の実施の形態に係る通信システムでは、無線端末装置２０２は、判断部２５によって自己が所定エリアＡ１に存在すると判断された場合、所定エリアＡ１において行うべき所定処理Ｐ２を開始する。
【０１７９】
このような構成により、無線端末装置２０２において、所定エリアＡ１で実行すべき宅内専用アプリケーション、たとえば自己の無線端末装置２０２をテレビのリモコンとして動作させるためのアプリケーションを自動で起動することができる。
【０１８０】
また、本発明の第１の実施の形態に係る中継装置は、所定エリアＡ１にて用いられる。ＬＡＮ側通信部２２は、無線端末装置２０２から自己の中継装置１０１のＩＰアドレスＬＡを宛先とする通知情報ＭＬ３を受信する。ＷＡＮ側通信部２４は、無線端末装置２０２から自己の中継装置１０１のＩＰアドレスＷＡを宛先とする通知情報ＭＷ３を受信する。そして、判断部２５は、ＬＡＮ側通信部２２またはＷＡＮ側通信部２４による通知情報ＭＬ３またはＭＷ３の受信結果にそれぞれ基づいて、無線端末装置２０２が所定エリアＡ１に存在するか否かを判断する判断処理を行う。
【０１８１】
このような構成により、たとえば、無線端末装置２０２が所定エリアＡ１に存在する場合における通知情報ＭＬ３の受信結果と、無線端末装置２０２が所定エリアＡ１に存在しない場合における通知情報ＭＷ３の受信結果とが異なる場合に、通知情報ＭＬ３またはＭＷ３の受信結果から、無線端末装置２０２が所定エリアＡ１に存在するか否かをより正しく判断することができる。また、無線端末装置２０２からの通知情報ＭＬ３またはＭＷ３の受信結果を用いる構成により、たとえば住宅等の所定エリアＡ１において位置の算出誤差が大きくなるＧＰＳ衛星からの信号を用いる方法と比べて、より正しい判断処理を行うことができる。さらに、無線端末装置２０２の代わりに、端末装置が有線通信を行う場合には、通信接続先をより確実に確定させることができるので、さらに正しい判断処理を行うことができる。
【０１８２】
次に、本発明の他の実施の形態について図面を用いて説明する。なお、図中同一または相当部分には同一符号を付してその説明は繰り返さない。
【０１８３】
＜第２の実施の形態＞
本実施の形態は、第１の実施の形態に係る通信システムと比べて無線端末装置において判断処理が行われる通信システムに関する。以下で説明する内容以外は第１の実施の形態に係る通信システムと同様である。
【０１８４】
［構成および基本動作］
図７は、本発明の第２の実施の形態に係る通信システムの構成を示す図である。
【０１８５】
図７を参照して、通信システム３０２は、本発明の第１の実施の形態に係る通信システム３０１と比べて、中継装置１０１および無線端末装置２０２Ａ，２０２Ｂ，２０２Ｃの代わりに、中継装置１０２および無線端末装置２０３Ａ，２０３Ｂ，２０３Ｃを備える。
【０１８６】
以下、無線端末装置２０３Ａ，２０３Ｂ，２０３Ｃの各々を、無線端末装置２０３とも称する。図１では、３つの無線端末装置２０３を代表的に示しているが、さらに多数または少数の無線端末装置２０３が設けられてもよい。また、中継装置１０２は、通信システム３０２におけるアクセスポイント１５０および１５１の少なくともいずれか一方と一体化されてもよい。
【０１８７】
再び図２を参照して、中継装置１０２は、所定エリアＡ１にて用いられる。中継装置１０２は、所定エリアＡ１における内部ネットワーク１０、および所定エリアＡ１外の外部ネットワーク１１間の通信を中継する。
【０１８８】
［動作（内部ネットワーク１０側における通信動作）］
図８は、本発明の第２の実施の形態に係る通信システムにおいて、無線端末装置が内部ネットワークを介して中継装置と情報の送受信を行う際の動作の一例を示すシーケンス図である。
【０１８９】
図８を参照して、たとえば、無線端末装置２０３が所定エリアＡ１に存在する場合において、無線端末装置２０３および中継装置１０２間では、通信接続の確立処理が行われる（ステップＳ３０２）。
【０１９０】
次に、無線端末装置２０３は、中継装置１０２の名前解決要求ＭＬ１を送信する（ステップＳ３０４）。
【０１９１】
次に、中継装置１０２は、無線端末装置２０３から名前解決要求ＭＬ１を受信すると、受信した名前解決要求ＭＬ１の応答として、自己の内部ネットワーク１０側のＩＰアドレスＬＡを示すメッセージである「ｍｙｈｏｕｓｅ．ｂｂ．ｎｅｔ＝１９２．１６８．１．１」を含む名前解決応答ＭＬ２を作成し、作成した名前解決応答ＭＬ２を無線端末装置２０３へ送信する。無線端末装置２０３は、名前解決要求ＭＬ１に対する名前解決応答ＭＬ２を受信する（ステップＳ３０６）。
【０１９２】
次に、無線端末装置２０３は、中継装置１０２から名前解決応答ＭＬ２を受信すると、受信した名前解決応答ＭＬ２の示す中継装置１０２のアドレスに基づいて、無線端末装置２０３が所定エリアＡ１に存在するか否かを判断する判断処理を行う（ステップＳ３０８）。
【０１９３】
次に、無線端末装置２０３は、判断処理の結果に基づいて、自己が行うべき所定処理Ｐ２を開始する（ステップＳ３１０）。より詳細には、無線端末装置２０３は、たとえば、判断処理の結果が、自己が所定エリアＡ１に存在することを示す場合、所定エリアＡ１において行うべき所定処理Ｐ２を開始する。
【０１９４】
次に、無線端末装置２０３は、たとえば判断処理の結果を中継装置１０２に通知する。より詳細には、無線端末装置２０３は、たとえば、中継装置１０２から名前解決応答ＭＬ２を受信すると、判断結果の確度、当該判断結果、および自己の端末ＩＤを含む通知情報ＭＬ３Ｓを作成する。そして、無線端末装置２０３は、たとえば、作成した通知情報ＭＬ３Ｓを、名前解決応答ＭＬ２の示す中継装置１０２のＩＰアドレスであるＩＰアドレスＬＡを宛先として中継装置１０２へ送信する（ステップＳ３１２）。
【０１９５】
次に、中継装置１０２は、無線端末装置２０３から通知情報ＭＬ３Ｓを受信すると、受信した通知情報ＭＬ３Ｓの示す判断処理の結果に基づいて、自己が行うべき所定処理Ｐ１を開始する（ステップＳ３１４）。
【０１９６】
なお、上記ステップＳ３１０およびＳ３１２の順番は、上記に限らず、順番を入れ替えてもよい。
【０１９７】
［動作（外部ネットワーク１１側における通信動作）］
図９は、本発明の第２の実施の形態に係る通信システムにおいて、無線端末装置が外部ネットワークを介して中継装置と情報の送受信を行う際の動作の一例を示すシーケンス図である。
【０１９８】
図９を参照して、たとえば、無線端末装置２０３が所定エリアＡ１の外部に存在する場合において、無線端末装置２０３とアクセスポイント１５１または基地局１７１との間では、通信接続の確立処理が行われる（ステップＳ４０２）。これにより、無線端末装置２０３は、中継装置１０２およびＤＮＳサーバ１６１との通信が可能となる。
【０１９９】
次に、中継装置１０２は、たとえば、ＤＮＳサーバ１６１からＤＤＮＳサービスを受けるためのＤＮＳ登録手続きを行う（ステップＳ４０４）。
【０２００】
次に、無線端末装置２０３は、中継装置１０２の名前解決要求ＭＷ１を送信する（ステップＳ４０６）。より詳細には、たとえば、無線端末装置２０３は、任意のタイミングにおいて、ホスト名ＨＮに対応するＩＰアドレスを取得するためのメッセージである「ｍｙｈｏｕｓｅ．ｂｂ．ｎｅｔ」を含む名前解決要求ＭＷ１を、アクセスポイント１５１または基地局１７１経由でＤＮＳサーバ１６１へ送信する。
【０２０１】
次に、ＤＮＳサーバ１６１は、無線端末装置２０３から名前解決要求ＭＷ１を受信すると、自己が保持するホスト名とグローバルＩＰアドレスとの対応関係に基づいて、受信した名前解決要求ＭＷ１の示すホスト名ＨＮに対応するＩＰアドレスＷＡを取得する。そして、ＤＮＳサーバ１６１は、たとえば、取得したＩＰアドレスＷＡを示すメッセージである「ｍｙｈｏｕｓｅ．ｂｂ．ｎｅｔ＝１３３．１５３．１０１．１０」を含む名前解決応答ＭＷ２を作成し、作成した名前解決応答ＭＷ２をアクセスポイント１５１または基地局１７１経由で無線端末装置２０３へ送信する。無線端末装置２０３は、名前解決要求ＭＷ１に対する名前解決応答ＭＷ２を受信する（ステップＳ４０８）。
【０２０２】
次に、無線端末装置２０３は、中継装置１０２から名前解決応答ＭＷ２を受信すると、受信した名前解決応答ＭＷ２の示す中継装置１０２のアドレスに基づいて、無線端末装置２０３が所定エリアＡ１に存在するか否かを判断する判断処理を行う（ステップＳ４１０）。
【０２０３】
次に、無線端末装置２０３は、判断処理の結果に基づいて、自己が行うべき所定処理Ｐ４を開始する（ステップＳ４１２）。より詳細には、無線端末装置２０３は、たとえば、判断処理の結果が、自己が所定エリアＡ１の外部に存在することを示す場合、所定エリアＡ１の外部において行うべき所定処理Ｐ４を開始する。
【０２０４】
次に、無線端末装置２０３は、たとえば判断処理の結果を中継装置１０２に通知する。より詳細には、無線端末装置２０３は、たとえば、ＤＮＳサーバ１６１から名前解決応答ＭＷ２を受信すると、判断結果の確度、当該判断結果、および自己の端末ＩＤを含む通知情報ＭＷ３Ｓを作成する。そして、無線端末装置２０３は、たとえば、作成した通知情報ＭＷ３Ｓを、名前解決応答ＭＷ２に含まれるＩＰアドレスＷＡを宛先としてアクセスポイント１５１または基地局１７１経由で中継装置１０２へ送信する（ステップＳ４１４）。
【０２０５】
次に、中継装置１０２は、無線端末装置２０３から通知情報ＭＷ３Ｓを受信すると、受信した通知情報ＭＷ３Ｓの示す判断処理の結果に基づいて、自己が行うべき所定処理Ｐ３を開始する（ステップＳ４１６）。
【０２０６】
なお、上記ステップＳ４０２およびＳ４０４の順番は、上記に限らず、順番を入れ替えてもよい。また、上記ステップＳ４１２およびＳ４１４の順番は、上記に限らず、順番を入れ替えてもよい。
【０２０７】
また、無線端末装置２０３は、上記ステップＳ４１４において、通知情報ＭＷ３Ｓの代わりに通知情報ＭＷ３ＳＵを中継装置１０２に送信することがある。通知情報ＭＷ３ＳＵの詳細については後述する。
【０２０８】
［無線端末装置の構成］
図１０は、本発明の第２の実施の形態に係る通信システムにおける無線端末装置の構成を示す図である。
【０２０９】
図１０を参照して、無線端末装置２０３は、本発明の第１の実施の形態に係る無線端末装置２０２と比べて、さらに、判断部４５を備える。
【０２１０】
取得部４１は、たとえば、自己の無線端末装置２０３において、中継装置１０２に通信接続する動作モードが選択されているか否かを示すモード情報を取得する。
【０２１１】
具体的には、取得部４１は、たとえば、無線通信部４２において無線ＬＡＮモードが「有効」に設定されている場合、自己の無線端末装置２０３が中継装置１０２と通信接続を確立することが可能であると判断する。そして、取得部４１は、たとえば、中継装置１０２に通信接続する動作モードが選択されている旨を示すモード情報を作成し、作成したモード情報を判断部４５へ出力する。
【０２１２】
一方、取得部４１は、たとえば、無線通信部４２において無線ＬＡＮモードが「無効」に設定されている場合、自己の無線端末装置２０３が中継装置１０２と通信接続を確立することが不可能であると判断する。そして、取得部４１は、たとえば、中継装置１０２に通信接続する動作モードが選択されていない旨を示すモード情報を作成し、作成したモード情報を判断部４５へ出力する。
【０２１３】
無線通信部４２は、基地局１７１、アクセスポイント１５０またはアクセスポイント１５１からＩＰパケットを受信すると、受信したＩＰパケットに含まれる情報であるパケット情報を判断部４５および処理部４３へ出力する。
【０２１４】
より詳細には、無線通信部４２は、アクセスポイント１５０を介して中継装置１０２から名前解決応答ＭＬ２を含むＩＰパケットを受信すると、受信したＩＰパケットに含まれる名前解決応答ＭＬ２を判断部４５および処理部４３へ出力する。
【０２１５】
また、無線通信部４２は、アクセスポイント１５１または基地局１７１を介してＤＮＳサーバ１６１から名前解決応答ＭＷ２を含むＩＰパケットを受信すると、受信したＩＰパケットに含まれる名前解決応答ＭＷ２を判断部４５および処理部４３へ出力する。
【０２１６】
判断部４５は、名前解決応答ＭＬ２またはＭＷ２の示す中継装置１０２のアドレスに基づいて、自己の無線端末装置２０３が所定エリアＡ１に存在するか否かを判断する判断処理を行う。
【０２１７】
詳細には、判断部４５は、たとえば、取得部４１によって取得されたモード情報にさらに基づいて判断処理を行う。言い換えると、判断部４５は、たとえば、取得部４１によって取得されたモード情報、および名前解決応答ＭＬ２またはＭＷ２の示す中継装置１０２のアドレスに基づいて判断処理を行う。
【０２１８】
より詳細には、判断部４５は、無線通信部４２からパケット情報を受けると、受けたパケット情報の内容を確認する。
【０２１９】
判断部４５は、無線通信部４２から受けたパケット情報において、たとえば「ｍｙｈｏｕｓｅ．ｂｂ．ｎｅｔ＝１９２．１６８．１．１」または「ｍｙｈｏｕｓｅ．ｂｂ．ｎｅｔ＝１３３．１５３．１０１．１０」を示すメッセージが含まれる場合、受けたパケット情報が名前解決応答であると認識し、以下の処理を行う。
【０２２０】
すなわち、判断部４５は、たとえば、無線通信部４２から受けた名前解決応答の示すＩＰアドレスの値に基づいて、当該名前解決応答が名前解決応答ＭＬ２およびＭＷ２のいずれであるかを判別する。
【０２２１】
具体的には、判断部４５は、名前解決応答の示すＩＰアドレスの値がたとえば「１９２．１６８．１．１」である場合、当該値がプライベートＩＰアドレスの範囲内であることを確認し、当該名前解決応答がアクセスポイント１５０経由で受信した名前解決応答ＭＬ２であると判別する。そして、判断部４５は、自己の無線端末装置２０３が所定エリアＡ１に存在すると判断する。
【０２２２】
また、判断部４５は、名前解決応答の示すＩＰアドレスの値がたとえば「１３３．１５３．１０１．１０」である場合、当該値がプライベートＩＰアドレスの範囲外であることを確認し、当該名前解決応答がアクセスポイント１５１または基地局１７１経由で受信した名前解決応答ＭＷ２であると判別する。そして、判断部４５は、自己の無線端末装置２０３が所定エリアＡ１の外部に存在すると判断する。
【０２２３】
［判断処理の確度］
判断部４５は、たとえば、取得部４１から受けるモード情報が、中継装置１０２に通信接続する動作モードが選択されていることを示す場合、判断結果の確度が高い旨、および当該判断結果を判断処理の結果として処理部４３へ通知する。
【０２２４】
一方、判断部４５は、たとえば、取得部４１から受けるモード情報が、中継装置１０２に通信接続する動作モードが選択されていないことを示す場合、判断結果の確度が低い旨、および当該判断結果を判断処理の結果として処理部４３へ通知する。
【０２２５】
処理部４３は、名前解決要求ＭＬ１，ＭＷ１、名前解決応答ＭＬ２，ＭＷ２、通知情報ＭＬ３，ＭＷ３および通知応答ＭＬ４，ＭＷ４を処理する。
【０２２６】
より詳細には、処理部４３は、たとえば、任意のタイミングにおいて名前解決要求ＭＬ１またはＭＷ１を作成し、作成した名前解決要求ＭＬ１またはＭＷ１を無線通信部４２経由で優先ＤＮＳサーバへ送信する、具体的には中継装置１０２またはＤＮＳサーバ１６１へ送信する。
【０２２７】
処理部４３は、名前解決要求ＭＬ１を無線通信部４２経由で中継装置１０２へ送信した場合、内部ネットワーク１０における中継装置１０２のＩＰアドレスすなわちＩＰアドレスＬＡを示すメッセージである「ｍｙｈｏｕｓｅ．ｂｂ．ｎｅｔ＝１９２．１６８．１．１」を含む名前解決応答ＭＬ２を無線通信部４２経由で受信する。
【０２２８】
処理部４３は、たとえば判断処理の結果を中継装置１０２に通知する。また、処理部４３は、たとえば、判断部４５によって自己の無線端末装置２０３が所定エリアＡ１に存在すると判断された場合、所定エリアＡ１において行うべき所定処理Ｐ２を開始する。
【０２２９】
より詳細には、処理部４３は、たとえば、名前解決応答ＭＬ２を無線通信部４２経由で受信し、かつ判断部４５から判断結果の確度が高い旨、および自己の無線端末装置２０３が所定エリアＡ１に存在することを示す判断処理の結果の通知を受けると、所定処理Ｐ２を開始するとともに、以下の処理を行う。
【０２３０】
すなわち、処理部４３は、たとえば、判断結果の確度が高い旨、自己の無線端末装置２０３が所定エリアＡ１に存在することを示す判断結果、および端末ＩＤを含む通知情報ＭＬ３Ｓを作成し、作成した通知情報ＭＬ３Ｓを、名前解決応答ＭＬ２の示す中継装置１０２のＩＰアドレスであるＩＰアドレスＬＡを宛先として無線通信部４２経由で中継装置１０２へ送信する。
【０２３１】
また、処理部４３は、たとえば、名前解決要求を中継装置１０２以外の装置へ送信した場合、外部ネットワーク１１における中継装置１０２のＩＰアドレスを示す名前解決応答ＭＷ２を受信する。また、処理部４３は、たとえば、判断部４５によって自己の無線端末装置２０３が所定エリアＡ１の外部に存在すると判断された場合、所定エリアＡ１の外部において行うべき所定処理Ｐ４を開始する。
【０２３２】
具体的には、処理部４３は、たとえば、名前解決要求ＭＷ１を無線通信部４２経由でＤＮＳサーバ１６１へ送信した場合、外部ネットワーク１１における中継装置１０２のＩＰアドレスすなわちＩＰアドレスＷＡを示すメッセージである「ｍｙｈｏｕｓｅ．ｂｂ．ｎｅｔ＝１３３．１５３．１０１．１０」を含む名前解決応答ＭＷ２を無線通信部４２経由で受信する。
【０２３３】
処理部４３は、たとえば、名前解決応答ＭＷ２を無線通信部４２経由で受信し、かつ判断部４５から判断結果の確度が高い旨、および自己の無線端末装置２０３が所定エリアＡ１の外部に存在することを示す判断の結果の通知を受けると、所定処理Ｐ４を開始するとともに、以下の処理を行う。
【０２３４】
すなわち、処理部４３は、たとえば、判断結果の確度が高い旨、自己の無線端末装置２０３が所定エリアＡ１の外部に存在することを示す判断結果、および端末ＩＤを含む通知情報ＭＷ３Ｓを作成し、作成した通知情報ＭＷ３Ｓを、名前解決応答ＭＷ２の示す中継装置１０２のＩＰアドレスであるＩＰアドレスＷＡを宛先として無線通信部４２経由で中継装置１０２へ送信する。
【０２３５】
また、処理部４３は、たとえば、名前解決応答ＭＷ２を無線通信部４２経由で受信し、かつ判断部４５から判断結果の確度が低い旨、および自己の無線端末装置２０３が所定エリアＡ１の外部に存在することを示す判断処理の結果の通知を受けると、以下の処理を行う。
【０２３６】
すなわち、処理部４３は、たとえば、判断結果の確度が低い旨、自己の無線端末装置２０３が所定エリアＡ１の外部に存在することを示す判断結果、および端末ＩＤを含む通知情報ＭＷ３ＳＵを作成し、作成した通知情報ＭＷ３ＳＵを、ＩＰアドレスＷＡを宛先として無線通信部４２経由で中継装置１０２へ送信する。
【０２３７】
［中継装置の構成］
図１１は、本発明の第２の実施の形態に係る通信システムにおける中継装置の構成を示す図である。
【０２３８】
図１１を参照して、中継装置１０２は、本発明の第１の実施の形態に係る中継装置１０１と比べて、判断部２５を備えない構成である。
【０２３９】
ＬＡＮ側通信部２２は、無線端末装置２０３から自己の中継装置１０２のＩＰアドレスＬＡを宛先とする名前解決要求ＭＬ１をＬＡＮ側ポート２１経由で受信し、受信した名前解決要求ＭＬ１を処理部２３へ出力する。
【０２４０】
また、ＬＡＮ側通信部２２は、無線端末装置２０３から自己の中継装置１０２のＩＰアドレスＬＡを宛先とする通知情報ＭＬ３ＳをＬＡＮ側ポート２１経由で受信し、受信した通知情報ＭＬ３Ｓを処理部２３へ出力する。
【０２４１】
ＷＡＮ側通信部２４は、無線端末装置２０３から自己の中継装置１０２のＩＰアドレスＷＡを宛先とする通知情報ＭＷ３Ｓ，ＭＷ３ＳＵをＷＡＮ側ポート２６経由で受信し、受信した通知情報ＭＷ３Ｓ，ＭＷ３ＳＵをそれぞれ処理部２３へ出力する。
【０２４２】
処理部２３は、たとえば、名前解決要求ＭＬ１、名前解決応答ＭＬ２、および通知情報ＭＬ３Ｓ，ＭＷ３Ｓ，ＭＷ３ＳＵを処理する。
【０２４３】
［所定処理Ｐ１，Ｐ３］
処理部２３は、たとえば、通知情報ＭＬ３Ｓ，ＭＷ３Ｓ，ＭＷ３ＳＵに基づいて、自己が行うべき所定処理Ｐ１またはＰ３を開始する。
【０２４４】
より詳細には、処理部２３は、ＬＡＮ側通信部２２から通知情報ＭＬ３Ｓを受けると、判断結果の確度が高い旨、無線端末装置２０３が所定エリアＡ１に存在することを示す判断結果、および端末ＩＤを通知情報ＭＬ３Ｓから取得し、当該端末ＩＤに対応するフラグを「１」に設定する。
【０２４５】
また、処理部２３は、ＷＡＮ側通信部２４から通知情報ＭＷ３Ｓを受けると、判断結果の確度が高い旨、自己の無線端末装置２０３が所定エリアＡ１の外部に存在することを示す判断結果、および端末ＩＤを通知情報ＭＷ３Ｓから取得し、当該端末ＩＤに対応するフラグを「−１」に設定する。
【０２４６】
また、処理部２３は、ＷＡＮ側通信部２４から通知情報ＭＷ３ＳＵを受けると、判断結果の確度が低い旨、自己の無線端末装置２０３が所定エリアＡ１の外部に存在することを示す判断結果、および端末ＩＤを通知情報ＭＷ３ＳＵから取得し、当該端末ＩＤに対応するフラグを「０」に設定する。
【０２４７】
処理部２３は、たとえば、フラグＦＡ〜ＦＣの値を監視し、監視結果に基づいて所定処理Ｐ１またはＰ３を開始する。
【０２４８】
なお、本発明の第２の実施の形態に係る通信システムでは、無線端末装置２０３が、判断部４５を備える構成であるとしたが、これに限定するものではない。通信システム３０２では、中継装置１０２以外の装置が判断部４５を備える構成であればよい。
【０２４９】
また、本発明の第２の実施の形態に係る無線端末装置では、判断部４５が、取得部４１によって取得されたモード情報、および名前解決応答ＭＬ２またはＭＷ２の示す中継装置１０２のアドレスに基づいて判断処理を行う構成であるとしたが、これに限定するものではない。判断部４５は、名前解決応答ＭＬ２またはＭＷ２の示す中継装置１０２のアドレスに基づいて判断処理を行う構成であればよい。
【０２５０】
以上のように、本発明の第２の実施の形態に係る通信システムでは、中継装置１０２は、所定エリアＡ１における内部ネットワーク１０、および所定エリアＡ１外の外部ネットワーク１１間の通信を中継する。無線端末装置２０３は、中継装置１０２の名前解決要求ＭＬ１またはＭＷ１を送信し、名前解決要求ＭＬ１またはＭＷ１に対する名前解決応答ＭＬ２またはＭＷ２をそれぞれ受信する。判断部４５は、名前解決応答ＭＬ２またはＭＷ２の示す中継装置１０２のＩＰアドレスに基づいて、自己の無線端末装置２０３が所定エリアＡ１に存在するか否かを判断する判断処理を行う。
【０２５１】
このような構成により、たとえば、所定エリアＡ１に存在する無線端末装置２０３が用いる内部ネットワーク１０、および所定エリアＡ１外に存在する無線端末装置２０３が用いる外部ネットワーク１１のいずれのネットワークを用いて無線端末装置２０３および中継装置１０２間の通信が行われるかを名前解決応答ＭＬ２またはＭＷ２の示す中継装置１０２のＩＰアドレスから認識することができるので、当該ＩＰアドレスから、無線端末装置２０３が所定エリアＡ１に存在するか否かをより正しく判断することができる。また、名前解決応答ＭＬ２またはＭＷ２の示す中継装置１０２のＩＰアドレスを用いる構成により、たとえば住宅等の所定エリアＡ１において位置の算出誤差が大きくなるＧＰＳ衛星からの信号を用いる方法と比べて、より正しい判断処理を行うことができる。さらに、無線端末装置２０３の代わりに、端末装置が有線通信を行う場合には、通信接続先をより確実に確定させることができるので、さらに正しい判断処理を行うことができる。
【０２５２】
また、本発明の第２の実施の形態に係る通信システムでは、無線端末装置２０３において、取得部４１は、中継装置１０２に通信接続する動作モードが選択されているか否かを示すモード情報を取得する。そして、判断部４５は、取得部４１によって取得されたモード情報、および上記ＩＰアドレスに基づいて判断処理を行う。
【０２５３】
このような構成により、無線端末装置２０３が所定エリアＡ１に存在する場合において、無線端末装置２０３が中継装置１０２と通信接続を確立する動作モードであるか否かを認識することができるので、当該動作モードが選択されていない場合に、たとえば判断結果の確度が低いことを評価することができる。
【０２５４】
また、本発明の第２の実施の形態に係る通信システムでは、中継装置１０２は、名前解決要求ＭＬ１を無線端末装置２０３から受信した場合、内部ネットワーク１０における自己のＩＰアドレスＬＡを示す名前解決応答ＭＬ２を無線端末装置２０３へ送信する。そして、無線端末装置２０３は、名前解決要求ＭＷ１を中継装置１０２以外の装置、具体的にはＤＮＳサーバ１６１へ送信した場合、外部ネットワーク１１における中継装置１０２のＩＰアドレスＷＡを示す名前解決応答ＭＷ２を受信する。
【０２５５】
このような構成により、無線端末装置２０３は、内部ネットワーク１０および外部ネットワーク１１のいずれに接続している場合においても、自己が接続するネットワーク側の中継装置１０２のＩＰアドレスＬＡまたはＷＡを取得することができる。
【０２５６】
また、本発明の第２の実施の形態に係る通信システムでは、無線端末装置２０３は、判断部４５を含み、判断処理の結果を中継装置１０２に通知する。
【０２５７】
このような構成により、中継装置１０２において、たとえば判断処理の結果に応じた処理を行うことができる。
【０２５８】
また、本発明の第２の実施の形態に係る通信システムでは、無線端末装置２０３は、自己が所定エリアＡ１に存在すると判断した場合、所定エリアＡ１において行うべき所定処理Ｐ２を開始する。
【０２５９】
このような構成により、無線端末装置２０３において、所定エリアＡ１で実行すべき宅内専用アプリケーション、たとえば自己の無線端末装置２０３をテレビのリモコンとして動作させるためのアプリケーションを自動で起動することができる。
【０２６０】
その他の構成および動作は第１の実施の形態に係る通信システムと同様であるため、ここでは詳細な説明を繰り返さない。
【０２６１】
なお、本発明の第１の実施の形態および第２の実施の形態に係る各装置の構成要素および動作のうち、一部または全部を適宜組み合わせることも可能である。
【０２６２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２６３】
以上の説明は、以下に付記する特徴を含む。
【０２６４】
［付記１］
所定エリアにて用いられる中継装置と、
端末装置と、
判断部とを備え、
前記端末装置は、前記中継装置の名前解決要求を送信し、前記名前解決要求に対する名前解決応答を受信し、受信した前記名前解決応答の示す前記中継装置のアドレスを宛先とする通知情報を送信し、
前記判断部は、前記通知情報の受信結果に基づいて、前記端末装置が前記所定エリアに存在するか否かを判断する判断処理を行い、
前記所定エリアは、住宅の内部であり、
前記中継装置は、ブロードバンドルータであり、
前記端末装置は、無線端末装置であり、
前記無線端末装置は、携帯電話またはスマートホンであり、
前記無線端末装置は、Ｗｉ−ＦｉおよびＢｌｕｅｔｏｏｔｈの通信規格に従ってアクセスポイントと無線通信を行うことが可能であり、
前記無線端末装置は、３ＧおよびＬＴＥ（Ｌｏｎｇ  Ｔｅｒｍ  Ｅｖｏｌｕｔｉｏｎ）の通信規格に従って基地局と無線通信を行うことが可能であり、
前記無線端末装置は、前記アクセスポイントまたは前記基地局経由で、前記中継装置の前記名前解決要求を送信し、前記名前解決要求に対する前記名前解決応答を受信し、受信した前記名前解決応答の示す前記中継装置の前記アドレスを宛先とする前記通知情報を送信する、通信システム。
【０２６５】
［付記２］
所定エリアにおける内部ネットワーク、および前記所定エリア外の外部ネットワーク間の通信を中継する中継装置と、
端末装置と、
判断部とを備え、
前記端末装置は、前記中継装置の名前解決要求を送信し、前記名前解決要求に対する名前解決応答を受信し、
前記判断部は、前記名前解決応答の示す前記中継装置のアドレスに基づいて、前記端末装置が前記所定エリアに存在するか否かを判断する判断処理を行い、
前記所定エリアは、住宅の内部であり、
前記内部ネットワークおよび前記外部ネットワークは、それぞれＬＡＮ（Ｌｏｃａｌ  Ａｒｅａ  Ｎｅｔｗｏｒｋ）およびインターネットであり、
前記中継装置は、ブロードバンドルータであり、
前記端末装置は、無線端末装置であり、
前記無線端末装置は、携帯電話またはスマートホンであり、
前記無線端末装置は、Ｗｉ−ＦｉおよびＢｌｕｅｔｏｏｔｈの通信規格に従ってアクセスポイントと無線通信を行うことが可能であり、
前記無線端末装置は、３ＧおよびＬＴＥ（Ｌｏｎｇ  Ｔｅｒｍ  Ｅｖｏｌｕｔｉｏｎ）の通信規格に従って基地局と無線通信を行うことが可能であり、
前記無線端末装置は、前記名前解決要求が前記アクセスポイントおよび前記内部ネットワーク経由で送信された場合、前記中継装置の前記内部ネットワーク側の前記アドレスであるＬＡＮ側アドレスを示す前記名前解決応答を受信し、
前記無線端末装置は、前記名前解決要求が前記アクセスポイントまたは前記基地局、および前記外部ネットワーク経由で送信された場合、前記中継装置の前記外部ネットワーク側の前記アドレスであるインターネット側アドレスを示す前記名前解決応答を受信し、
前記判断部は、前記名前解決応答の示す前記アドレスが前記ＬＡＮ側アドレスである場合、前記判断処理として、前記端末装置が前記所定エリアに存在すると判断し、
前記判断部は、前記名前解決応答の示す前記アドレスが前記インターネット側アドレスである場合、前記判断処理として、前記端末装置が前記所定エリアに存在しないと判断する、通信システム。
【０２６６】
［付記３］
所定エリアにて用いられる中継装置であって、
端末装置から前記中継装置のアドレスを宛先とする通知情報を受信する受信部と、
前記受信部による前記通知情報の受信結果に基づいて、前記端末装置が前記所定エリアに存在するか否かを判断する判断処理を行う判断部とを備え、
前記所定エリアは、住宅の内部であり、
前記中継装置は、ブロードバンドルータであり、
前記端末装置は、無線端末装置であり、
前記無線端末装置は、携帯電話またはスマートホンであり、
前記無線端末装置は、Ｗｉ−ＦｉおよびＢｌｕｅｔｏｏｔｈの通信規格に従ってアクセスポイントと無線通信を行うことが可能であり、
前記無線端末装置は、３ＧおよびＬＴＥ（Ｌｏｎｇ  Ｔｅｒｍ  Ｅｖｏｌｕｔｉｏｎ）の通信規格に従って基地局と無線通信を行うことが可能であり、
前記受信部は、前記アクセスポイントまたは前記基地局経由で、前記無線端末装置から前記中継装置の前記アドレスを宛先とする前記通知情報を受信する、中継装置。
【符号の説明】
【０２６７】
２１  ＬＡＮ側ポート
２２  ＬＡＮ側通信部（受信部）
２３  処理部
２４  ＷＡＮ側通信部（受信部）
２５  判断部
２６  ＷＡＮ側ポート
４１  取得部
４２  無線通信部
４３  処理部
４５  判断部
１０１，１０２  中継装置
１１１  宅内装置
１１２  監視装置
１１３  見守り装置
１５０，１５１  アクセスポイント
１６１  ＤＮＳサーバ
１７１  基地局
２０２，２０３  無線端末装置
３０１，３０２  通信システム
【図１】
0006657675.tif 000002
【図２】
0006657675.tif 000003
【図３】
0006657675.tif 000004
【図４】
0006657675.tif 000005
【図５】
0006657675.tif 000006
【図６】
0006657675.tif 000007
【図７】
0006657675.tif 000008
【図８】
0006657675.tif 000009
【図９】
0006657675.tif 000010
【図１０】
0006657675.tif 000011
【図１１】
0006657675.tif 000012